(57)【要約】【課題】水にオゾンを混合させる場合に、簡単な構成で、オゾンの混合効率の低下を抑制できる水オゾン混合装置、水を浄化する場合に、簡単な構成で、良好に水質を改善できる水浄化装置、もしくは安全に稼動することができる水浄化装置、簡単な構成で、効率的にオゾン水を生成することができるオゾン水生成装置、気体供給側への液体の逆流を確実に阻止できる気液混合器、または、逆流を確実に阻止できる逆止弁を提供すること。【解決手段】水オゾン混合装置２、水浄化装置１またはオゾン水生成装置７０において、オゾン混合器７から水が漏れるとき、オゾン混合器７から漏れる水を排水するための排水管３５と、排水管３５に設けられ、オゾン混合器７へのオゾン供給中に、排水管３５の水の流れ方向とは逆方向に空気が流入することを抑制するためのドレン弁３６を備える。また、水オゾン混合装置２を筐体２７に収容し、逆止弁１７にアーチ弁８１を用いる。【選択図】図２
2008012512.tif 000002
【特許請求の範囲】
【請求項１】
一端に水の流入口、他端に水の流出口を有し、前記流入口および前記流出口を連通する水路、ならびに、一端に気体入口、他端に気体出口を有し、前記気体出口が前記水路の途中に合流されている気体通路を有する気液混合器と、
オゾンを発生し、発生したオゾンを前記気体入口から前記気体通路へ供給するオゾン供給装置と、
前記水路の水が前記気体出口から浸入して、前記気体通路を流れるとき、前記気体通路を流れ出る水を排水するための排水路と、
前記排水路に設けられ、前記気体通路へのオゾン供給中に、前記排水路を水が流れ出る方向とは逆方向に空気が流入することを抑制するための空気流入抑制手段と、を備えることを特徴とする、水オゾン混合装置。
【請求項２】
前記気液混合器は、
前記水路の途中が絞られた絞り部を有し、
前記絞り部に前記気体出口が合流されていることを特徴とする、請求項１記載の水オゾン混合装置。
【請求項３】
前記空気流入抑制手段は、
前記絞り部にオゾンが吸い込まれることによって変化する前記排水路内の圧力変化により動作することを特徴とする、請求項２記載の水オゾン混合装置。
【請求項４】
前記空気流入抑制手段は、
一端に入口、他端に出口を有し、前記入口および前記出口が前記排水路に接続されることによって前記排水路の途中に介挿された収容室と、
前記収容室に収容され、可撓性を有し、前記絞り部にオゾンが吸い込まれることによって変化する前記排水路内の圧力変化によって前記入口を塞いで前記排水路を遮断する遮断部材と、を含み、
前記排水路を水が流れ出るとき以外、かつ、前記絞り部にオゾンが吸い込まれるとき以外においては、前記遮断部材は、前記収容室の内壁に接触または近接しており、
前記排水路を水が流れ出るときにおいては、流れ出る水に押圧されて前記遮断部材が撓むことにより、前記収容室の内壁と前記遮断部材と間に隙間が形成されることによって前記排水路が開放されることを特徴とする、請求項３記載の水オゾン混合装置。
【請求項５】
前記収容室内に設けられ、前記逆方向に凸湾曲した受入面が形成され、前記受入面で前記遮断部材を受け止めるための受け止め部材を含むことを特徴とする、請求項４記載の水オゾン混合装置。
【請求項６】
前記気体通路には、前記気体入口から前記気体出口への気体の通過は許容するが、逆方向への水の通過を防止するための逆止弁が備えられていることを特徴とする、請求項１ないし５のいずれかに記載の水オゾン混合装置。
【請求項７】
前記気体通路には、下方に向かって開口した排水用開口と、側方に向かって開口した前記気体入口とに分岐された３方分岐が備えられており、
前記オゾン供給装置は、空間内の配置に関し、前記３方分岐より上方に設けられ、放電を行なうことによりオゾンを発生するオゾン発生装置と、
前記オゾン発生装置で発生したオゾンを前記気体入口へ送るためのオゾン供給路とを含み、
前記排水路は、前記排水用開口に連通されていることを特徴とする、請求項１ないし６のいずれかに記載の水オゾン混合装置。
【請求項８】
前記３方分岐の気体入口は、斜め上方を向いており、
前記オゾン発生装置は、前記オゾン供給路と前記気体入口との接続部分よりも上方に配置されていることを特徴とする、請求項７記載の水オゾン混合装置。
【請求項９】
前記排水路の一定時間あたりの排水量が、前記気体出口から前記気体通路に浸入する一定時間あたりの水量以上であるように、前記排水路が構成されていることを特徴とする、請求項１ないし８のいずれかに記載の水オゾン混合装置。
【請求項１０】
前記排水路から排水される水を検知するための水検知センサと、
前記水検知センサの検知に応じて、前記オゾン供給装置を停止させるためのオゾン供給制御手段とを含むことを特徴とする、請求項１ないし９のいずれかに記載の水オゾン混合装置。
【請求項１１】
前記水検知センサは、前記排水路における水が流れ出る方向にみて、前記空気流入抑制手段よりも下流側に設けられていることを特徴とする、請求項１０記載の水オゾン混合装置。
【請求項１２】
前記排水路の出口から流れ出る水を受けるための水受け部を備え、
前記水検知センサは、前記水受け部に関連して設けられ、前記水受け部に溜まった水量を検知するためのセンサであることを特徴とする、請求項１０または１１に記載の水オゾン混合装置。
【請求項１３】
前記流入口へ水を導くための給水路と、
前記給水路に設けられ、前記給水路を開閉するための開閉弁とを備えることを特徴とする、請求項１ないし１２のいずれかに記載の水オゾン混合装置。
【請求項１４】
水源の水を吸い込んで吐出するためのポンプと、
前記ポンプの吐出側に接続され、吐出される水にオゾンを混合して、水を浄化するための請求項１ないし１３のいずれかに記載の水オゾン混合装置と、
前記水オゾン混合装置でオゾンが混合されて浄化された水を出力する浄水給水路と、を備えることを特徴とする、水浄化装置。
【請求項１５】
前記浄水給水路には、浄化された水に残存するオゾンを除去するためのオゾン分解装置が設けられていることを特徴とする、請求項１４記載の水浄化装置。
【請求項１６】
前記ポンプの運転および前記オゾン供給装置の運転を連動制御する制御装置を含むことを特徴とする、請求項１４または１５に記載の水浄化装置。
【請求項１７】
前記制御装置は、前記ポンプの吐出側の水圧に基づいて、前記ポンプおよび前記オゾン供給装置を連動制御することを特徴とする、請求項１６記載の水浄化装置。
【請求項１８】
前記水源が、水を溜めるための貯水槽であり、
前記流出口から流出する水を前記貯水槽内に供給するための循環用流路をさらに備えることを特徴とする、請求項１４ないし１７のいずれかに記載の水浄化装置。
【請求項１９】
水を溜めるためのタンクと、
前記タンクに溜められる水を吸い込んで吐出するためのポンプと、
前記ポンプの、吐出側に接続され、吐出される水にオゾンを混合するための請求項１ないし１３のいずれかに記載の水オゾン混合装置と、
前記水オゾン混合装置でオゾンが混合されたオゾン水を噴出するためのオゾン水出力管と、を備えることを特徴とする、オゾン水生成装置。
【請求項２０】
一端に水の流入口、他端に水の流出口を有し、前記流入口および前記流出口を連通する水路、ならびに、一端に気体入口、他端に気体出口を有し、前記気体入口から前記気体出口へ向かって上方へ延び、前記気体出口が前記水路の途中に合流されている気体通路を有する気液混合器と、
オゾンを発生し、発生したオゾンを前記気体入口から前記気体通路へ供給するオゾン供給装置と、
前記気体通路に備えられ、前記気体入口から前気体出口へ向かう下方から上方へのオゾンの通過は許容するが、逆方向への水の通過を阻止するための逆止弁と、を含み、
当該逆止弁は、オゾン供給時には、オゾンの供給圧力によって前記気体通路を開放し、オゾン非供給時には、自重によって前記気体通路を閉鎖する弁体を含むことを特徴とする、水オゾン混合装置。
【請求項２１】
前記弁体は、前記気体通路内に上下に移動可能な自由状態で収容されており、上方に凸湾曲した上面を有することを特徴とする、請求項２０記載の水オゾン混合装置。
【請求項２２】
前記気体通路内には、前記弁体の位置がずれるのを防止するために、前記弁体の上面と接する突起が設けられていることを特徴とする、請求項２１記載の水オゾン混合装置。
【請求項２３】
液体流路と、前記液体流路を流れる液体に気体を混合するために下方から上方へ延びる気体通路と、を有する気液混合器において、
前記気体通路に形成された弁室、および前記弁室内に自由状態で収容され、前記気体通路を通って前記液体流路へ気体が供給されるときの供給圧力と自重とによって、前記気体通路を開閉可能な弁体、を含む逆止弁を備えていることを特徴とする、気液混合器。
【請求項２４】
前記弁体は、上方に凸湾曲した上面を有することを特徴とする、請求項２３記載の気液混合器。
【請求項２５】
前記弁室内には、前記弁体の位置がずれるのを防止するために、前記弁体の上面と接する突起が設けられており、
前記弁体の上面には、上方へ突出し、前記突起に押圧されることによって弾性変形して、前記弁体を、前記気体通路を閉鎖するように付勢する弾性凸部が設けられていることを特徴とする、請求項２３または２４記載の気液混合器。
【請求項２６】
前記弾性凸部は、局部的に押圧されることを特徴とする、請求項２５記載の気液混合器。
【請求項２７】
流体を通過させるための流体通過穴を開放することによって一方向への流体の通過は許容するが、前記流体通過穴を封止することによって逆方向への流体の通過を阻止するための逆止弁であって、
前記逆方向への流体の通過を阻止するときに前記流体通過穴を封止する封止面と、前記逆方向へ移動しようとする流体に加圧される被加圧面と、を有する弁体を含み、
前記被加圧面は、前記一方向に凸湾曲しており、
前記被加圧面には、前記一方向へ突出し、前記一方向側から押圧されることによって弾性変形して前記封止面を前記流体通過穴へ向けて付勢する弾性凸部が設けられていることを特徴とする、逆止弁。
【請求項２８】
流体を通過させるための流体通過穴を開放することによって一方向への流体の通過は許容するが、前記流体通過穴を封止することによって逆方向への流体の通過を阻止するための逆止弁であって、
前記逆方向への流体の通過を阻止するときに前記流体通過穴を封止する封止面と、前記逆方向へ移動しようとする流体に加圧される被加圧面と、を有する弁体を含み、
前記被加圧面は、前記被加圧面を加圧する流体の圧力を周囲へ逃すように形成されており、
前記被加圧面には、前記一方向へ突出し、前記一方向側から押圧されることによって弾性変形して前記封止面を前記流体通過穴へ向けて付勢する弾性凸部が設けられていることを特徴とする、逆止弁。
【請求項２９】
前記弾性凸部は、局部的に押圧されることを特徴とする、請求項２７または２８記載の逆止弁。
【請求項３０】
前記弁体は、前記流体通過穴が形成された弁室内に自由状態で収容されていることを特徴とする、請求項２７ないし２９のいずれかに記載の逆止弁。
【発明の詳細な説明】
【技術分野】
【０００１】
この発明は、水にオゾンを混合するための水オゾン混合装置、水を浄化するための水浄化装置、オゾン水を生成するためのオゾン水生成装置、液体に気体を混合するための気液混合器、および、これらの装置で用いられる逆止弁に関する。
【背景技術】
【０００２】
従来から、井戸や河川などの水源から汲み上げた水や雨水を、洗濯用水や風呂水として利用したり、植物栽培のために散水したりしたいという要望がある。
【０００３】
ところが、昨今は、地層自体の変化や汚染物質の地下水脈への浸透などにより、井水の水質悪化が著しく、汲み出した井水をそのまま利用しにくいという事態が生じている。同様に、河川の水も水質悪化を生じていることが多い。ここでいう水質悪化とは、たとえば、水の濁度および色度が高くなることや、水から異臭が生じることなどである。
【０００４】
このような水質悪化としては、たとえば、特許文献１に記載されているように、井水がいわゆる「赤水」である場合がある。「赤水」とは、井水中に鉄分やマンガン成分がイオンとして含まれるため、汲み出した井水が時間の経過と共に赤色に変化する水である。そのため、「赤水」は、洗濯用水や風呂水としての使用に適さず、また、植物栽培にも悪影響を及ぼす問題がある。
【０００５】
上記のような水質の悪化した井水や河川の水などの汚染水の水質を改善するために、オゾン処理により、水中の鉄分を酸化して除去すると共に、オゾンの酸化作用で、井水中の雑菌、大腸菌、ウィルスなどを殺菌することができる受水型井水改善装置が提案されている（たとえば、特許文献１参照）。
【０００６】
また、水道水にオゾンを混合してオゾン水を生成し、そのオゾン水を、たとえば、手足の除菌洗浄、鮮魚などを入れるトロ箱の除菌・消臭・ぬめり取りなどに利用したいという要望もある。
【０００７】
上記のようなオゾン水を生成するために、水道水とオゾンを混合させることによって、除菌・消臭性能に優れるオゾン水生成システムが提案されている（たとえば、特許文献２参照）。
【特許文献１】特許第２７１５２４４号公報
【特許文献２】特開２００３−３０５３４８号公報
【発明の開示】
【発明が解決しようとする課題】
【０００８】
特許文献１に記載されている水質改善装置は、大型の受水槽、第１段処理機および第２段処理機が複雑に組み合わされた装置である。
【０００９】
ところで、たとえば、インドネシアなどでは、水道設備のインフラが整っていない地域があり、このような地域においては、桶などで汲み出された赤水を含む井水もしくは河川の水や、溜められた雨水などが生活用水として利用されている。そのため、このような地域において、水質改善装置を導入したいという要望が高く、水質改善装置の構成は、なるべく簡単であることが望ましいが、上記水質改善装置のように、大型かつ複雑な構成の装置では、導入することが困難である。
【００１０】
また、上記水質改善装置では、オゾン発生装置がオゾン添加部よりも下方に配置されている。
【００１１】
一般に、オゾン発生装置は、周囲の空気を取り込んで高電圧の放電を行うことでオゾンを発生させる構成を有しているため、オゾン発生装置が水に晒されてしまうと、放電できなくなるという不具合がある。また、水に晒されたオゾン発生装置の電源をＯＮにすると、漏電や感電してしまうおそれがあり、取り扱い上の問題もある。そのため、オゾン発生装置に水が浸入することを防止することが望まれるが、上記水質改善装置のように、オゾン発生装置がオゾン添加部より下方に配置されている構成では、オゾン添加部の水が、その自重により、オゾン導入管を介してオゾン発生装置に浸入するおそれがある。
【００１２】
そこで、これらの不具合を改善するため、特許文献２に記載されているオゾン水生成システムのように、流路条件によらず汎用的に用いることができ、さらに、オゾン発生器が、給水ライン内を流れる水にオゾンを混合する入口であるインジェクタより上方に設けられているシステムの構成を、上記水質改善装置に導入することが提案される。しかし、このシステムの構成を導入した場合であっても、システムの電源がＯＦＦになったときに給水ライン内に水が満たされていると、インジェクタに設けられた逆止弁から微小な水漏れが生じ、やはりオゾン発生器に水が浸入する場合がある。また、給水ライン内を流れる水の流れをいきなり止めると、いわゆるウォーターハンマー現象が発生して給水ライン内の水圧が上昇し、逆止弁があるにもかかわらず、給水ライン内の水が逆流してオゾン発生器に到達する虞がある。
【００１３】
この発明は、かかる背景のもとになされたもので、水にオゾンを混合させる場合に、簡単な構成で、オゾンの混合効率の低下を抑制できる水オゾン混合装置を提供することを主たる目的とする。
【００１４】
また、この発明は、水を浄化する場合に、簡単な構成で、良好に水質を改善できる水浄化装置を提供することを別の目的とする。
【００１５】
また、この発明は、水を浄化する場合に、安全に稼動することができる水浄化装置を提供することを別の目的とする。
【００１６】
また、この発明は、簡単な構成で、効率的にオゾン水を生成することができるオゾン水生成装置を提供することを別の目的とする。
【００１７】
また、この発明は、気体供給側への液体の逆流を確実に阻止することができる気液混合器を提供することを別の目的とする。
【００１８】
さらに、この発明は、逆流を確実に阻止することができる逆止弁を提供することを別の目的とする。
【課題を解決するための手段】
【００１９】
請求項１記載の発明は、一端に水の流入口、他端に水の流出口を有し、前記流入口および前記流出口を連通する水路、ならびに、一端に気体入口、他端に気体出口を有し、前記気体出口が前記水路の途中に合流されている気体通路を有する気液混合器と、オゾンを発生し、発生したオゾンを前記気体入口から前記気体通路へ供給するオゾン供給装置と、前記水路の水が前記気体出口から浸入して、前記気体通路を流れるとき、前記気体通路を流れ出る水を排水するための排水路と、前記排水路に設けられ、前記気体通路へのオゾン供給中に、前記排水路を水が流れ出る方向とは逆方向に空気が流入することを抑制するための空気流入抑制手段と、を備えることを特徴とする、水オゾン混合装置である。
【００２０】
請求項２記載の発明は、前記気液混合器は、前記水路の途中が絞られた絞り部を有し、前記絞り部に前記気体出口が合流されていることを特徴とする、請求項１記載の水オゾン混合装置である。
【００２１】
請求項３記載の発明は、前記空気流入抑制手段は、前記絞り部にオゾンが吸い込まれることによって変化する前記排水路内の圧力変化により動作することを特徴とする、請求項２記載の水オゾン混合装置である。
【００２２】
請求項４記載の発明は、前記空気流入抑制手段は、一端に入口、他端に出口を有し、前記入口および前記出口が前記排水路に接続されることによって前記排水路の途中に介挿された収容室と、前記収容室に収容され、可撓性を有し、前記絞り部にオゾンが吸い込まれることによって変化する前記排水路内の圧力変化によって前記入口を塞いで前記排水路を遮断する遮断部材と、を含み、前記排水路を水が流れ出るとき以外、かつ、前記絞り部にオゾンが吸い込まれるとき以外においては、前記遮断部材は、前記収容室の内壁に接触または近接しており、前記排水路を水が流れ出るときにおいては、流れ出る水に押圧されて前記遮断部材が撓むことにより、前記収容室の内壁と前記遮断部材と間に隙間が形成されることによって前記排水路が開放されることを特徴とする、請求項３記載の水オゾン混合装置である。
【００２３】
請求項５記載の発明は、前記収容室内に設けられ、前記逆方向に凸湾曲した受入面が形成され、前記受入面で前記遮断部材を受け止めるための受け止め部材を含むことを特徴とする、請求項４記載の水オゾン混合装置である。
【００２４】
請求項６記載の発明は、前記気体通路には、前記気体入口から前記気体出口への気体の通過は許容するが、逆方向への水の通過を防止するための逆止弁が備えられていることを特徴とする、請求項１ないし５のいずれかに記載の水オゾン混合装置である。
【００２５】
請求項７記載の発明は、前記気体通路には、下方に向かって開口した排水用開口と、側方に向かって開口した前記気体入口とに分岐された３方分岐が備えられており、前記オゾン供給装置は、空間内の配置に関し、前記３方分岐より上方に設けられ、放電を行なうことによりオゾンを発生するオゾン発生装置と、前記オゾン発生装置で発生したオゾンを前記気体入口へ送るためのオゾン供給路とを含み、前記排水路は、前記排水用開口に連通されていることを特徴とする、請求項１ないし６のいずれかに記載の水オゾン混合装である。
【００２６】
請求項８記載の発明は、前記３方分岐の気体入口は、斜め上方を向いており、前記オゾン発生装置は、前記オゾン供給路と前記気体入口との接続部分よりも上方に配置されていることを特徴とする、請求項７記載の水オゾン混合装置である。
【００２７】
請求項９記載の発明は、前記排水路の一定時間あたりの排水量が、前記気体出口から前記気体通路に浸入する一定時間あたりの水量以上であるように、前記排水路が構成されていることを特徴とする、請求項１ないし８のいずれかに記載の水オゾン混合装置である。
【００２８】
請求項１０記載の発明は、前記排水路から排水される水を検知するための水検知センサと、前記水検知センサの検知に応じて、前記オゾン供給装置を停止させるためのオゾン供給制御手段とを含むことを特徴とする、請求項１ないし９のいずれかに記載の水オゾン混合装置である。
【００２９】
請求項１１記載の発明は、前記水検知センサは、前記排水路における水が流れ出る方向にみて、前記空気流入抑制手段よりも下流側に設けられていることを特徴とする、請求項１０記載の水オゾン混合装置である。
【００３０】
請求項１２記載の発明は、前記排水路の出口から流れ出る水を受けるための水受け部を備え、前記水検知センサは、前記水受け部に関連して設けられ、前記水受け部に溜まった水量を検知するためのセンサであることを特徴とする、請求項１０または１１に記載の水オゾン混合装置である。
【００３１】
請求項１３記載の発明は、前記流入口へ水を導くための給水路と、前記給水路に設けられ、前記給水路を開閉するための開閉弁とを備えることを特徴とする、請求項１ないし１２のいずれかに記載の水オゾン混合装置である。
【００３２】
請求項１４記載の発明は、水源の水を吸い込んで吐出するためのポンプと、前記ポンプの吐出側に接続され、吐出される水にオゾンを混合して、水を浄化するための請求項１ないし１３のいずれかに記載の水オゾン混合装置と、前記水オゾン混合装置でオゾンが混合されて浄化された水を出力する浄水給水路と、を備えることを特徴とする、水浄化装置である。
【００３３】
請求項１５記載の発明は、前記浄水給水路には、浄化された水に残存するオゾンを除去するためのオゾン分解装置が設けられていることを特徴とする、請求項１４記載の水浄化装置である。
【００３４】
請求項１６記載の発明は、前記ポンプの運転および前記オゾン供給装置の運転を連動制御する制御装置を含むことを特徴とする、請求項１４または１５に記載の水浄化装置である。
【００３５】
請求項１７記載の発明は、前記制御装置は、前記ポンプの吐出側の水圧に基づいて、前記ポンプおよび前記オゾン供給装置を連動制御することを特徴とする、請求項１６記載の水浄化装置である。
【００３６】
請求項１８記載の発明は、前記水源が、水を溜めるための貯水槽であり、前記流出口から流出する水を前記貯水槽内に供給するための循環用流路をさらに備えることを特徴とする、請求項１４ないし１７のいずれかに記載の水浄化装置である。
【００３７】
請求項１９記載の発明は、水を溜めるためのタンクと、前記タンクに溜められる水を吸い込んで吐出するためのポンプと、前記ポンプの、吐出側に接続され、吐出される水にオゾンを混合するための請求項１ないし１３のいずれかに記載の水オゾン混合装置と、前記水オゾン混合装置でオゾンが混合されたオゾン水を噴出するためのオゾン水出力管と、を備えることを特徴とする、オゾン水生成装置である。
【００３８】
請求項２０記載の発明は、一端に水の流入口、他端に水の流出口を有し、前記流入口および前記流出口を連通する水路、ならびに、一端に気体入口、他端に気体出口を有し、前記気体入口から前記気体出口へ向かって上方へ延び、前記気体出口が前記水路の途中に合流されている気体通路を有する気液混合器と、オゾンを発生し、発生したオゾンを前記気体入口から前記気体通路へ供給するオゾン供給装置と、前記気体通路に備えられ、前記気体入口から前気体出口へ向かう下方から上方へのオゾンの通過は許容するが、逆方向への水の通過を阻止するための逆止弁と、を含み、当該逆止弁は、オゾン供給時には、オゾンの供給圧力によって前記気体通路を開放し、オゾン非供給時には、自重によって前記気体通路を閉鎖する弁体を含むことを特徴とする、水オゾン混合装置である。
【００３９】
請求項２１記載の発明は、前記弁体は、前記気体通路内に上下に移動可能な自由状態で収容されており、上方に凸湾曲した上面を有することを特徴とする、請求項２０記載の水オゾン混合装置である。
【００４０】
請求項２２記載の発明は、前記気体通路内には、前記弁体の位置がずれるのを防止するために、前記弁体の上面と接する突起が設けられていることを特徴とする、請求項２１記載の水オゾン混合装置である。
【００４１】
請求項２３記載の発明は、液体流路と、前記液体流路を流れる液体に気体を混合するために下方から上方へ延びる気体通路と、を有する気液混合器において、前記気体通路に形成された弁室、および前記弁室内に自由状態で収容され、前記気体通路を通って前記液体流路へ気体が供給されるときの供給圧力と自重とによって、前記気体通路を開閉可能な弁体、を含む逆止弁を備えていることを特徴とする、気液混合器である。
【００４２】
請求項２４記載の発明は、前記弁体は、上方に凸湾曲した上面を有することを特徴とする、請求項２３記載の気液混合器である。
【００４３】
請求項２５記載の発明は、前記弁室内には、前記弁体の位置がずれるのを防止するために、前記弁体の上面と接する突起が設けられており、前記弁体の上面には、上方へ突出し、前記突起に押圧されることによって弾性変形して、前記弁体を、前記気体通路を閉鎖するように付勢する弾性凸部が設けられていることを特徴とする、請求項２３または２４記載の気液混合器である。
【００４４】
請求項２６記載の発明は、前記弾性凸部は、局部的に押圧されることを特徴とする、請求項２５記載の気液混合器である。
【００４５】
請求項２７記載の発明は、流体を通過させるための流体通過穴を開放することによって一方向への流体の通過は許容するが、前記流体通過穴を封止することによって逆方向への流体の通過を阻止するための逆止弁であって、前記逆方向への流体の通過を阻止するときに前記流体通過穴を封止する封止面と、前記逆方向へ移動しようとする流体に加圧される被加圧面と、を有する弁体を含み、前記被加圧面は、前記一方向に凸湾曲しており、前記被加圧面には、前記一方向へ突出し、前記一方向側から押圧されることによって弾性変形して前記封止面を前記流体通過穴へ向けて付勢する弾性凸部が設けられていることを特徴とする、逆止弁である。
【００４６】
請求項２８記載の発明は、流体を通過させるための流体通過穴を開放することによって一方向への流体の通過は許容するが、前記流体通過穴を封止することによって逆方向への流体の通過を阻止するための逆止弁であって、前記逆方向への流体の通過を阻止するときに前記流体通過穴を封止する封止面と、前記逆方向へ移動しようとする流体に加圧される被加圧面と、を有する弁体を含み、前記被加圧面は、前記被加圧面を加圧する流体の圧力を周囲へ逃すように形成されており、前記被加圧面には、前記一方向へ突出し、前記一方向側から押圧されることによって弾性変形して前記封止面を前記流体通過穴へ向けて付勢する弾性凸部が設けられていることを特徴とする、逆止弁である。
【００４７】
請求項２９記載の発明は、前記弾性凸部は、局部的に押圧されることを特徴とする、請求項２７または２８記載の逆止弁である。
【００４８】
請求項３０記載の発明は、前記弁体は、前記流体通過穴が形成された弁室内に自由状態で収容されていることを特徴とする、請求項２７ないし２９のいずれかに記載の逆止弁である。
【発明の効果】
【００４９】
請求項１記載の発明によれば、気液混合器の水路内の水が、気体出口から気体通路内に浸入した場合であっても、その水は、オゾン供給装置へは浸入せずに排水路を通って排水される。このように、水がオゾン供給装置内に浸入することを防止できるため、オゾン供給装置が水に晒されて放電できなくなることを防止でき、安定してオゾンを供給することができる。また、気体通路へのオゾン供給中、排水路は、空気流入抑制手段によって遮断されており、外部の空気が排水路から気体通路へ流入してくることがないため、オゾン濃度が低くなることを防止でき、効率的にオゾンを気体通路へと供給することができる。
【００５０】
請求項２記載の発明によれば、気液混合器が、水路の途中が絞られた絞り部を有し、その絞り部に気体通路の出口が合流されている。よって、水路ベンチュリ作用により、絞り部において流速が増す水の流れによって発生する負圧を利用してオゾンを水路内に取り込むことができる。より具体的には、オゾン供給装置で発生するオゾンは、絞り部を流れる水による負圧を利用して混合されるため、たとえば、ブロアなどの装置を設けずに、簡単な構成で水路内の水にオゾンを混合することができる。
【００５１】
請求項３記載の発明によれば、空気流入抑制手段による排水路の遮断は、絞り部にオゾンが吸い込まれることによって変化する排水路内の圧力変化により行なわれる。たとえば、絞り部において発生する負圧を利用して行なわれる。このように、外部から別に操作をする必要がなく自動的に、簡単な構成で排水路を遮断して、空気の流入を防止できる。
【００５２】
請求項４記載の発明によれば、空気流入抑制手段において、遮断部材は、排水路を水が流れ出るとき（排水時）以外、かつ、絞り部にオゾンが吸い込まれるとき以外においては、収容室の内壁に接触または近接している。そのため、排水路内の圧力変化が小さくても、遮断部材は、確実に動作し、入口を塞いで排水路を遮断することができるので、空気の流入を確実に防止できる。
【００５３】
また、遮断部材は、可撓性を有しており、排水路を水が流れ出るとき（排水時）においては、流れ出る水に押圧されて撓むことにより、収容室の内壁と遮断部材との間に隙間が形成されることによって排水路が開放されるので、排水路での円滑な排水を確保することができる。
【００５４】
請求項５記載の発明によれば、受け止め部材の、排水時に水が流れ出る方向（流出方向）とは逆方向に凸湾曲した受入面において、受入面の周縁側は、受入面の中心側に比べて、水の流出方向下流側に位置しているので、この周縁側部分において受入面と収容室の内壁との間に隙間を確保することできる。そのため、排水時には、この隙間において、収容室の内壁と遮断部材との接触が解消されるまで遮断部材を撓ませて、排水路を確実に開放することができる。
【００５５】
請求項６記載の発明によれば、気体通路に逆止弁が設けられている。たとえば、気液混合器の水路内でウォーターハンマー現象などが生じると、水路内の水圧が高まり、水が気体通路へ浸入するおそれがある。しかし、上記のように逆止弁が設けられていれば、このような水の浸入や逆流を阻止することができ、オゾン供給装置に水が浸入することを防止できる。
【００５６】
請求項７記載の発明によれば、気体通路には、下方に向かって開口した排水用開口と、側方に向かって開口した気体入口とに分岐された３方分岐が備えられており、オゾン発生装置で発生したオゾンは、オゾン供給路によって気体入口に送られ、排水路は、排水用開口に連通されている。そのため、気体通路へ浸入した水は、重力により、オゾン供給路側へは流れずに、排水路から排水される。さらに、オゾン発生装置が、３方分岐より上方に配置されているため、万一、オゾン供給路側に水の一部が流入した場合であっても、オゾン供給路を介してオゾン発生装置に水が浸入することが防止されている。
【００５７】
請求項８記載の発明によれば、気液混合器の気体出口を介して気体通路の中に浸入してきた水路の水が３方分岐の気体入口に到達したとしても、気体入口は、斜め上方を向いており、さらに、オゾン発生装置は、オゾン供給路と気体入口との接続部分よりも上方に配置されているので、気体通路に浸入してきた水路の水が気体入口およびオゾン供給路を介してオゾン発生装置に到達する虞はない。そのため、オゾン発生装置の浸水を確実に防止することができ、そして、気体通路に浸入してきた水を排水路で確実に排水することができる。
【００５８】
請求項９記載の発明によれば、一定時間あたりの、排水路の排水量（Ａ）と、気体通路に浸入する水量（Ｂ）とを比較すると、Ａ≧Ｂである。そのため、気体通路内に浸入した水は、気体通路内に停滞せずに、円滑に排水路を介して排水される。つまり、浸入した水が気体通路内に停滞して、オゾン供給装置側へ流れ出てしまうことを防止できる。
【００５９】
請求項１０記載の発明によれば、オゾン供給装置は、水検知センサの検知に応じて、オゾン供給制御手段によって停止される。このように、水検知センサの検知に応じてオゾン供給装置を停止すれば、万一、水がオゾン供給装置に浸入した場合であっても、漏電や感電することを防止でき、装置を安全に稼動させることができる。
【００６０】
請求項１１記載の発明によれば、水検知センサが、排水路における空気流入抑制手段よりも下流側に設けられている。気体通路へのオゾン供給中、排水路における空気流入抑制手段より上流側にはオゾンが充満しており、そのような位置に水検知センサを設けると、オゾンにより腐食されるおそれがある。しかし、上記のように、水検知センサが空気流入抑制手段より下流側に設けられていることによって、水検知センサが腐食されることを防止できる。
【００６１】
請求項１２記載の発明によれば、水検知センサによる検知が、水受け部に溜まった水量に基づいて行なわれる。つまり、水受け部に所定の水量が溜められた場合にのみ、水検知センサによって水漏れ検知が行なわれる。そのため、不用な水漏れ検知を減らし、効率的に水の浄化処理を行なうことができる。また、オゾン（ガス）が水検知センサに触れることがなく、センサの腐食の心配もない。
【００６２】
請求項１３記載の発明によれば、気液混合器の流入口へ水を導くための給水路に開閉弁が備えられている。そのため、使用時に開閉弁を操作し、オゾン供給装置を動作させれば、装置を機能させることができる。
【００６３】
請求項１４記載の発明によれば、水源からの水を、ポンプによって汲み上げ、その水をオゾンにより効率的に除菌・殺菌して、生活用水に適した水を供給できる。
【００６４】
請求項１５記載の発明によれば、ユーザ使用側へ放出される浄化水には残存オゾンがなく、ユーザは安心して浄化水を使用できる。
【００６５】
請求項１６記載の発明によれば、操作が簡単で、扱いやすい水浄化装置を提供することができる。
【００６６】
請求項１７記載の発明によれば、ユーザ使用側へ放出される水圧が常に適正に維持され、しかも操作性の良い水浄化装置とすることができる。
【００６７】
請求項１８記載の発明によれば、貯水槽に溜められた水は、ポンプによって汲み出され、気液混合器内でオゾンによって浄化された後、循環用流路を通って再び貯水槽に戻される。このように、水を浄化処理しながら循環させることによって、貯水槽に浄化水を溜めておくことができる。また、浄化水を貯水槽に溜めておけば、容易に浄化水を利用することができる。さらに、装置を、太陽エネルギーで運転する場合など、昼間の日照時間内に、浄化水を作り、夜間の利用などに備えられる。
【００６８】
請求項１９記載の発明によれば、タンクに、たとえば、水道水など水が溜められ、その溜められた水にオゾンが混合される。これによって、除菌・消臭機能などに優れるオゾン水が生成され、このオゾン水をオゾン出力管から放出させることによって、たとえば、手足の除菌洗浄、鮮魚などを入れるトロ箱の除菌・消臭・ぬめり取りなどに利用することができる。
【００６９】
請求項２０記載の発明によれば、逆止弁の弁体が、オゾン供給時には、オゾンの供給圧力（たとえば、気体通路内に生じる負圧）によって気体通路を開放することによって、気体入口から気体通路へ供給されたオゾンが気体出口へ向かって通過することを許容できる。一方、オゾン非供給時には、弁体が自重によって気体通路を閉鎖することによって、水の逆方向への通過（逆流）を阻止することができる。この気液混合器では、水路に合流される気体出口から、水路の水が気体通路内に下方へ漏れ出す虞があるが、このような簡単な構成の逆止弁により、外部から別段の操作をしなくても、自動的に気体通路を開閉して、水の逆流を阻止できる。
【００７０】
請求項２１記載の発明によれば、弁体は、気体通路内に上下に移動可能な自由状態で収容されている。つまり、弁体は、気体通路内において他の部材に支持されていない。逆止弁の用途上、弁体は、その作動頻度が比較的高いので、気体通路内において他の部材に支持されている場合には、その支持部分に損傷が生じる虞があるが、本発明の弁体は、気体通路内において他の部材に支持されていないので、上述した支持部分が存在せず、損傷が生じる虞はない。
【００７１】
また、この弁体は、上方に凸湾曲した上面を有している。上述したように、この気液混合器では、水路の水が、水路に合流される気体出口から気体通路内に下方へ漏れ出て弁体の上面を加圧することが想定されるが、弁体の上面は上方に凸湾曲しているので、この上面では、水路からの水の圧力を周囲に逃すことができる。たとえば、この上面が外縁から内側中心に亘って一様に平坦な場合、水路からの水の圧力を周囲に逃すことができないので、上面の内側部分が圧力に耐えられなくなると弁体全体が撓んで弁体が気体通路を完全に閉鎖できなくなり、水の逆流が生じる虞がある。しかし、本発明の弁体の上面は、上述したように、水の漏れ出す方向とは反対の方向（上方）に向かって凸湾曲しているので、たとえば、ウォーターハンマー現象によって急激に上昇した水の圧力が弁体の上面に作用されても、その圧力が周囲に逃されることにより、弁体は、撓むことはなく、その全体形状を維持することができる。そのため、弁体は、気体通路を完全に閉鎖し、水の逆流を確実に阻止することができる。
【００７２】
請求項２２記載の発明によれば、気体通路内に設けられた突起によって弁体の位置がずれるのが防止されるので、弁体を、気体通路を開閉可能な適正位置に常に配置することができ、逆止弁の作動信頼性の向上を図ることができる。
【００７３】
請求項２３記載の発明によれば、逆止弁の弁体が、気体通路から液体流路へ気体が供給されるときの供給圧力（たとえば、気体通路内に生じる負圧）によって気体通路を開放することで、気体通路からの気体を、液体流路を流れる液体に混合することができる。一方、弁体の自重によって気体通路を閉鎖することで、気体通路からの気体が液体流路へ供給される方向とは逆方向への液体の通過（逆流）を阻止することができる。この気液混合器では、液体流路からの液体が気体通路内に下方へ漏れ出す虞があるが、このような簡単な構成の逆止弁により、外部から別段の操作をしなくても、自動的に気体通路を開閉して、液体の逆流を阻止できる。
【００７４】
また、弁体は、気体通路に形成された弁室内に自由状態で収容されている。つまり、弁体は、弁室内において他の部材に支持されていない。逆止弁の用途上、弁体は、その作動頻度が比較的高いので、弁室内において他の部材に支持されている場合には、その支持部分に損傷が生じる虞があるが、本発明の弁体は、弁室内において他の部材に支持されていないので、上述した支持部分が存在せず、損傷が生じる虞はない。
【００７５】
請求項２４記載の発明によれば、弁体は、上方に凸湾曲した上面を有している。上述したように、この気液混合器では、液体流路の液体が気体通路内に下方へ漏れ出て弁体の上面を加圧することが想定されるが、弁体の上面は上方に凸湾曲しているので、この上面では、液体流路からの液体の圧力を周囲に逃すことができる。たとえば、この上面が外縁から内側中心に亘って一様に平坦な場合、液体流路からの液体の圧力を周囲に逃すことができないので、上面の内側部分が圧力に耐えられなくなると弁体全体が撓んで弁体が気体通路を完全に閉鎖できなくなり、液体の逆流が生じる虞がある。しかし、本発明の弁体の上面は、上述したように、液体の漏れ出す方向とは反対の方向（上方）に向かって凸湾曲しているので、たとえば、ウォーターハンマー現象によって急激に上昇した液体の圧力が弁体の上面に作用されても、その圧力が周囲に逃されることにより、弁体は、撓むことはなく、その全体形状を維持することができる。そのため、弁体は、気体通路を完全に閉鎖し、液体の逆流を確実に阻止することができる。
【００７６】
請求項２５記載の発明によれば、弁室内に設けられた突起によって弁体の位置がずれるのが防止されるので、弁体を、弁室内において、気体通路を開閉可能な適正位置に常に配置することができ、逆止弁の作動信頼性の向上を図ることができる。
【００７７】
そして、弁体の上面には弾性凸部が設けられており、この弾性凸部は、突起に押圧されることによって弾性変形して、弁体を、気体通路を閉鎖するように付勢する。たとえば、上述したウォーターハンマー現象とは反対に極めて低い圧力の液体の場合において、この液体が、気体通路を閉鎖している弁体とその気体通路との間の微小な隙間を伝って逆流する虞がある。しかし、弾性凸部が、突起に押圧されることによって、弁体を、気体通路を閉鎖するように付勢するので、上述した微小な隙間は解消され、液体の逆流を確実に阻止することができる。
【００７８】
そのため、この弾性凸部と、弁体の、上方に凸湾曲した上面（請求項２２参照）とによって、液体の圧力の大小を問わず、液体の逆流を確実に阻止することができる。
【００７９】
請求項２６記載の発明によれば、弾性凸部は、局部的に押圧されることにより、弁室内に設けられた突起からの押圧力が局部的に集中して作用されるので、小さな押圧力でも容易に弾性変形して、弁体を、気体通路を閉鎖するように付勢し、気体通路を閉鎖している弁体とその気体通路との間の微小な隙間を確実に解消することができる。
【００８０】
請求項２７記載の発明によれば、逆止弁が流体通過穴を開放することによって、一方向への流体の通過を許容できる一方で、この逆止弁が流体通過穴を封止することによって、逆方向への流体の通過（逆流）を阻止することができる。
【００８１】
この逆止弁は、流体の逆流を阻止するときに流体通過穴を封止する封止面と、その流体に加圧される被加圧面とを有する弁体を含んでおり、被加圧面は、上述した一方向、つまり流体の逆流方向とは反対の方向に向かって凸湾曲している。そのため、この被加圧面では、被加圧面を加圧する流体の圧力を周囲に逃すことができる。たとえば、この被加圧面が外縁から内側中心に亘って一様に平坦な場合、被加圧面を加圧する流体の圧力を周囲に逃すことができないので、被加圧面の内側部分が圧力に耐えられなくなると弁体全体が撓んで封止面と流体通過穴との間に隙間が生じ、その隙間から流体の逆流が生じる虞がある。しかし、本発明の弁体の被加圧面は、上述したように、流体の逆流方向とは反対の方向に向かって凸湾曲しているので、たとえば、ウォーターハンマー現象によって急激に上昇した流体の圧力が作用されても、その圧力が周囲に逃されることにより、弁体は、撓むことはなく、その全体形状を維持することができる。そのため、封止面が流体通過穴を隙間なく封止し、流体の逆流を確実に阻止することができる。
【００８２】
一方、ウォーターハンマー現象とは反対に極めて低い圧力の流体の場合において、この流体が封止面と流体通過穴との間の微小な隙間を伝って逆流する虞があるが、被加圧面に設けられた弾性凸部が、押圧されることによって弾性変形して封止面を流体通過穴へ向けて付勢するので、上述した微小な隙間は解消され、流体の逆流を確実に阻止することができる。
【００８３】
そのため、流体の圧力の大小を問わず、流体の逆流を確実に阻止することができる。
【００８４】
請求項２８記載の発明によれば、逆止弁が流体通過穴を開放することによって、一方向への流体の通過を許容できる一方で、この逆止弁が流体通過穴を封止することによって、逆方向への流体の通過（逆流）を阻止することができる。
【００８５】
この逆止弁は、流体の逆流を阻止するときに流体通過穴を封止する封止面と、その流体に加圧される被加圧面とを有する弁体を含んでおり、被加圧面は、被加圧面を加圧する流体の圧力を周囲へ逃すように形成されている。たとえば、この被加圧面が外縁から内側中心に亘って一様に平坦な場合、被加圧面を加圧する流体の圧力を周囲に逃すことができないので、被加圧面の内側部分が圧力に耐えられなくなると弁体全体が撓んで封止面と流体通過穴との間に隙間が生じ、その隙間から流体の逆流が生じる虞がある。しかし、本発明の弁体の被加圧面は、上述したように、被加圧面を加圧する流体の圧力を周囲へ逃すように形成されているので、たとえば、ウォーターハンマー現象によって急激に上昇した流体の圧力が作用されても、その圧力が周囲に逃されることにより、弁体は、撓むことはなく、その全体形状を維持することができる。そのため、封止面が流体通過穴を隙間なく封止し、流体の逆流を確実に阻止することができる。
【００８６】
一方、ウォーターハンマー現象とは反対に極めて低い圧力の流体の場合において、この流体が封止面と流体通過穴との間の微小な隙間を伝って逆流する虞があるが、被加圧面に設けられた弾性凸部が、押圧されることによって弾性変形して封止面を流体通過穴へ向けて付勢するので、上述した微小な隙間は解消され、流体の逆流を確実に阻止することができる。
【００８７】
そのため、流体の圧力の大小を問わず、流体の逆流を確実に阻止することができる。
【００８８】
請求項２９記載の発明によれば、弾性凸部は、局部的に押圧されることにより、押圧力が局部的に集中して作用されるので、小さな押圧力でも容易に弾性変形して、封止面を流体通過穴へ向けて付勢し、封止面と流体通過穴との間の隙間を確実に解消することができる。
【００８９】
請求項３０記載の発明によれば、弁体は、流体通過穴が形成された弁室内に自由状態で収容されている。つまり、弁体は、弁室内において他の部材に支持されていない。逆止弁の用途上、弁体は、その作動頻度が比較的高いので、弁体内において他の部材に支持されている場合には、その支持部分に損傷が生じる虞があるが、本発明の弁体は、弁体内において他の部材に支持されていないので、上述した支持部分が存在せず、損傷が生じる虞はない。
【発明を実施するための最良の形態】
【００９０】
＜実施例１＞
以下には、図面を参照して、この発明の実施形態について具体的に説明をする。
（水浄化装置１の構成）
図１は、この発明の一実施形態に係る水浄化装置１の概略斜視図である。図２は、水浄化装置１の構成例を示すシステム図である。なお、方向について言及する場合には、図示した、方向を示す矢印を参照する。また、図２のシステム図において、実線矢印は水の流れ、破線矢印は電気の流れを、それぞれ表している。
【００９１】
主として図２を参照して、この水浄化装置１は、この発明に係る水オゾン混合装置２を含んでおり、この水オゾン混合装置２によって水にオゾンが混合されて、水の浄化が行なわれる。より具体的には、水浄化装置１は、井戸または河川などの水源３から吸込管４を通して原水を吸い込むためのポンプ５と、ポンプ５から吐出される原水の水路である給水路としての原水給水管６と、原水給水管６に接続され、原水にオゾンを混合させる気液混合器としてのオゾン混合器７と、オゾンを発生し、発生したオゾンをオゾン混合器７へ供給するオゾン供給装置８と（これらオゾン混合器７およびオゾン供給装置８が水オゾン混合装置２に含まれる。）、オゾン混合器７でオゾンが混合されて浄化された浄水をユーザ使用側へ供給するための、浄水給水路およびオゾン水出力管としての浄水給水管９と、浄水給水管９に介挿され、浄水中に残存するオゾンを分解するためのオゾン分解装置としてのオゾン脱臭カラム１０とを備えており、これらによって水源３の水が浄化され、さらに、残存オゾンも分解されて、生活用水としてユーザに供給される。
【００９２】
ポンプ５には、原水給水管６の流路圧力（吐出側の流路圧力）を検知するための圧力センサ１１と、インペラ（図示せず）と、このインペラを回転させるためのモータ（図示せず）とが備えられている。圧力センサ１１は、吐出側流路圧力が所定圧力以上であればＯＦＦし、所定圧力未満であればＯＮするセンサである。圧力センサ１１のＯＮ／ＯＦＦ信号は、後述する制御部４９へ与えられ、制御信号によって、圧力センサ１１がＯＮすると、ポンプ５が駆動される。よって、原水は、常に所定圧以上でオゾン混合器７へ送られる。
【００９３】
ここで、図３を参照して、オゾン混合器７の構成について説明する。図３は、オゾン混合器７の図解図である。なお、図３において、実線矢印は水の流れ、破線矢印は気体の流れを、それぞれ表している。
【００９４】
オゾン混合器７は、一端に水の流入口１２、他端に水の流出口１３を有する液体流路としての水路１４を備える。
【００９５】
水路１４は、その途中が絞られ、内径が狭くされた絞り部１５を有している。また、絞り部１５には、気体通路１６が接続されている。気体通路１６は、その途中に逆止弁１７を有し、その下方に３方分岐１８を有している。３方分岐１８の側方に開口した、気体入口としての入口１９が、オゾンが入ってくる入口であり、オゾンが出る上端の、気体出口としての出口２０は、絞り部１５に対し、Ｔ字状に連通している。
【００９６】
流入口１２から流入する水は、絞り部１５においてその流速が増す。この流速の増した水の流れによって、絞り部１５内は負圧になるので、この負圧により、気体通路１６内に流入したオゾンは、出口２０から水路１４内へ吸い込まれ、たとえば、直径が５０μｍ以下の超微細気泡（いわゆるマイクロバブル）として水に混入される。このように、水路１４に絞り部１５を設けてベンチュリ構造にすると、たとえば、ブロアなどの装置を設けず、絞り部１５内の水の流れにより発生する負圧を利用して、水路１４内にオゾンを効率的に取り込むことができる。
【００９７】
なお、この実施形態においては、オゾン混合器７をベンチュリ構造として説明したが、オゾン混合器７として、たとえば、Ｔ字管なども使用することができる。Ｔ字管であれば、絞り部１５がなく、水路中に径の細い部分がないため、水路が異物などによって目詰まりすることを防止することができる。
【００９８】
図２を参照して、オゾン供給装置８は、空気に対して放電を行なうことにより、空気中の酸素をオゾンに変換するオゾン発生装置２１を有する。
【００９９】
オゾン発生装置２１は、その内部に放電素子回路（図示せず）および放電電極板（図示せず）を有しており、制御部４９（後述）と電気的に接続されている。
【０１００】
また、オゾン供給装置８には、後述する筐体２７外の空気を吸い込むための吸気管２２、吸気管２２に挿入されたフィルタ２３、オゾン供給路としてのオゾン供給管２４、オゾン供給管２４に挿入された逆止弁１７が含まれており、吸気管２２は、オゾン発生装置２１の吸気口２５に接続され、オゾン供給管２４は、オゾン発生装置２１の排気口２６に接続されている。制御部４９（後述）によってオゾン発生装置２１がＯＮにされると、吸気口２５からオゾン発生装置２１内に取り込まれた空気に対し、電極板（図示せず）で放電（たとえば、沿面放電、無声放電など）されることにより、オゾンが生成する。吸気口２５から流入する空気に含まれる塵埃は、フィルタ２３によって捕獲されるため、オゾン発生装置２１に塵埃が混入して、放電素子（図示せず）や電極板（図示せず）が破損することを防止することができる。
【０１０１】
生成されたオゾンは、排気口２６から流出し、逆止弁１７、オゾン供給管２４を通って３方分岐１８の入口１９へ供給され得る（図３参照）。
【０１０２】
オゾン混合器７でオゾンが供給され、オゾンによる除菌・殺菌が行なわれて浄化された水は、浄水給水管９を流れ、オゾン脱臭カラム１０において残存オゾンが分解され、ユーザ使用側に供給される。オゾン脱臭カラム１０におけるオゾン分解について具体的に説明すると、オゾン脱臭カラム１０には、たとえば、活性炭などが充填されており、この活性炭と浄水中に残存している未反応のオゾンが酸化反応することにより、未反応のオゾンが分解される。このように分解されることによって、ユーザ使用側に供給される水中にオゾンは存在せず、ユーザは安心して浄水を使用することができる。
【０１０３】
以上説明した流れで水の浄化が行なわれ、浄化された水がユーザに供給される。水浄化装置１においては、このような水の浄化が、水オゾン混合装置２が収容される筐体２７内で行なわれる（図１参照）。
【０１０４】
筐体２７は、ポンプ５より上方に配置され、その表面には、水浄化装置１の運転に関する各種操作や各種表示を行なう操作表示部５５が形成されている。操作表示部５５は、制御部４９（後述）と電気的に接続されている。そのため、ユーザは操作表示部５５を操作することにより、制御部４９（後述）に指示を与え、水浄化装置１の運転を行なうことができ、また、その運転状態を知ることができる。
【０１０５】
また、筐体２７には、上述したように、ポンプ５およびオゾン発生装置２１と電気的に接続されている制御部４９が収容されている。このように、水の浄化の操作・制御・動作に関連する、浄化装置として、操作表示部５５が筐体２７に形成され、オゾン発生装置２１、オゾン混合器７および制御部４９が筐体２７に収容されているため、ユーザは、たとえば、定期的な部品交換や、故障した箇所の修理などのメンテナンスを容易に行なうことができる。なお、制御部４９の電気的構成については、図７を参照して、後に詳述する。
【０１０６】
また、筐体２７の外側面には、オゾン脱臭カラム１０が取り付けられている。オゾン脱臭カラム１０が、筐体２７の近傍に設けられているため、オゾン脱臭カラム１０のメンテナンス、たとえば、オゾン脱臭カラム１０の中に充填されている活性炭の交換やオゾン脱臭カラム１０本体の交換などを容易に行なうことができる。さらに、筐体２７の内部ではなく、外部に設けられているため、メンテナンスをする際、筐体２７の蓋などを開ける必要もない。
【０１０７】
また、筐体２７内において、オゾン発生装置２１は、３方分岐１８より上方に配置されている。このため、たとえ３方分岐１８に水が浸入することがあっても、その水がオゾン発生装置２１まで浸入することは防止できる。
【０１０８】
なお、図１に示す、たとえば、原水給水管６（エルボー管２８の下流側）および浄水給水管９（オゾン脱臭カラム１０の上流側）を着脱可能とし、筐体２７を、水の浄化が必要される場所に持ち運ぶことができる構成にすることもできる。
【０１０９】
再び図３を参照して、水路１４に接続された気体通路１６には、逆止弁１７が介挿されている。逆止弁１７は、気体通路１６内を下から上へ流れる流れ（特にオゾンの流れ）は許容するが、上から下へ流れる流れ（特に水の流れ）を防止するためのものである。
【０１１０】
ここで、図４を参照して、逆止弁１７の構成例について説明する。図４は、逆止弁１７の図解図であり、図４（ａ）は水路１４に水が流れていないとき（以下、通常時とする。）の状態を示し、図４（ｂ）は水路１４に水が流れているとき（以下、吸引時とする。）の状態を示す。なお、図４において、破線矢印は気体の流れを示す。
【０１１１】
逆止弁１７は、弁室２９と、弁室２９内を移動し得るボール弁３０と、弁室２９の一側（たとえば、下側）および他側（たとえば、上側）に形成された流体通過穴としての入口３１および出口３２と、ボール弁３０が常時入口３１を塞ぐように付勢するばね３３とを有する。弁室２９の形状は、この例では上方に向けて先細りとなるロケット形状であるが、これに限定されない。要は、ボール弁３０が弁室２９内を移動でき、入口３１を塞がないときに、入口３１と出口３２との間を流体が移動できる形状であればよい。
【０１１２】
ボール弁３０は、たとえば、公知のゴムまたは樹脂などの球体であり、入口３１の径より大きい径で形成されている。
【０１１３】
ばね３３は、吸引時に、負圧によりボール弁３０が上方へ移動可能な付勢力を備えている。ばね３３は、コイルばねを例示しているが、たとえば、棒状ばねや板状ばねなどでもよい。
【０１１４】
逆止弁１７は、その入口３１が、通常時には、図４（ａ）に示すように、ボール弁３０の自重およびばね３３の付勢力によって塞がれている。そのため、仮に水が弁室２９内に浸入してきても、その水は、弁室２９内において塞き止められる。
【０１１５】
一方、吸引時には、図４（ｂ）に示すように、ボール弁３０が負圧により吸引されて、塞がれていた入口３１が、弁室２９内部と連通する状態となる。そのため、オゾン発生装置２１→オゾン供給管２４→３方分岐１８の入口１９→気体通路１６とつながる経路が連通する状態となり、オゾンは、気体通路１６に供給される。なお、吸引時には、水は水路１４内を流れているため、その水が出口２０から気体通路１６へ漏れ出すことはない。
【０１１６】
また、逆止弁１７が設けられていれば、たとえば、吸引状態から通常状態に切り替わり、水路１４内の水の流れが急に止められることにより生じるウォーターハンマー現象などが原因で、水路１４の水が出口２０から気体通路１６内に浸入してきても、弁室２９の入口３１は、ボール弁３０によって塞がれているため、その浸入した水は、逆止弁１７で塞き止められる。そのため、水が逆止弁１７より下流側、つまり、オゾン発生装置２１側（気体供給側）に浸入することを阻止することができる。また、万一、気体通路１６に介挿された逆止弁１７が破損などして、水がその逆止弁１７を通過した場合であっても、オゾン供給管２４にも、さらに逆止弁１７が介挿されているため、この逆止弁１７によって、水を塞き止めることができ、オゾン発生装置２１に水が浸入することを阻止することができる。
【０１１７】
なお、気体通路１６の逆止弁１７は、必要に応じて、直列状に複数配置してもよい。
【０１１８】
図３を参照して、３方分岐１８には、上述した入口１９の他に、下方に向かって開口された排水用開口としての排水口３４が備えられており、排水口３４には、気体通路１６へ浸入した水を排水するための排水路としての排水管３５が接続されている（図２参照）。
【０１１９】
排水管３５は、３方分岐１８から下方に伸びており、その途中には、オゾン供給中に、排水管３５を通って空気が流入することを抑制するための空気流入抑制手段としてのドレン弁３６が設けられている。また、排水管３５の下端の出口には、出口から流れ出る水を受けるための水受け部としての水受け皿３７が備えられている（図２参照）。
【０１２０】
排水管３５は、気体通路１６に浸入した水を外部に排水するためのものである。上述したように、気体通路１６には逆止弁１７が介挿されているため、通常時、浸入した水は、ボール弁３０によって塞き止められるが、時間の経過と共に、ボール弁３０と入口３１とのわずかな隙間から水が漏れ出し、３方分岐１８を経て、排水管３５へ流れ落ちる場合がある。たとえそのような場合であっても、排水管３５が設けられているので、逆止弁１７で塞き止めることができなかった水を外部に排水することができる。
【０１２１】
また、排水管３５の流路径は、一定時間（たとえば、１０分）あたり出口２０から気体通路１６に漏れ出す水量以上の水量を排水できるように設計されている。よって、たとえば、逆止弁１７が設けられていない場合や、逆止弁１７が破損した場合でも、気体通路１６に漏れ出した水は、排水管３５内で停滞せずに、円滑に外部に排水される。つまり、水が、排水管３５内に停滞して、３方分岐１８の入口１９からオゾン発生装置２１側に流れ出ることを防止することができる。
【０１２２】
ドレン弁３６は、オゾン供給中に、排水管３５の水の流れ方向とは逆方向に空気が流入することを抑制するための弁である。
【０１２３】
ここで図５を参照して、ドレン弁３６および水受け皿３７などの構成例について説明する。図５は、ドレン弁３６の一例を示す図解図であり、図５（ａ）は通常時の状態を示し、図５（ｂ）は吸引時の状態を示す。なお、図５において、実線矢印は水の流れを示し、破線矢印は気体の流れを示す。また、図５（ｂ）については、図５（ａ）に示す水受け皿３７などの構成を示す図を省略する。
【０１２４】
図５を参照して、ドレン弁３６は、弁室３８と、弁室３８内に収容されたボール弁３９とを有する。
【０１２５】
弁室３８の上面には、入口４０が形成されている。弁室３８の下面には、ボール弁３９が自重で位置する凹所４１が形成されていて、この凹所４１を避けた下面に出口４２が形成されている。そして、ドレン弁３６は、これら入口４０と出口４２とを連通させる流路が、排水管３５の流路の一部となるように、排水管３５に介挿されている。
【０１２６】
ボール弁３９は、たとえば、公知のゴムまたは樹脂などの球体であり、入口４０の径より大きく形成されている。
【０１２７】
ボール弁３９は、通常時には、図５（ａ）に示すように、その自重により、弁室３８内の凹所４１に位置する。そのため、排水管３５を落下する水は、ドレン弁３６を通り排水される。
【０１２８】
一方、吸引時には、図５（ｂ）に示すように、ボール弁３９が負圧により吸引されて、入口４０が塞がれる。そのため、ドレン弁３６より上流側に位置する排水管３５が、ドレン弁３６を隔てて外部と遮断される。
【０１２９】
水受け皿３７は、その内部が、水受け皿３７の周面壁の高さより低い仕切り壁７３によって２つの部屋に仕切られており、その２つの部屋の一方の部屋が、排水管３５の出口から排水される水を受ける水受け室７４であり、他方の部屋が、水受け室７４から仕切り壁７３を超えて溢れ出した水が入ってくる溢水室７５である。そして、溢水室７５には、筐体２７の外部に通じる排出管７６が接続されている（図２参照）。排水管３５の出口から排水された水は、いったん水受け室７４で受けられ、その水位が仕切り壁７３の高さ以下の場合には、溢水室７５に溢れ出さず、時間の経過と共に蒸発する。一方、その水位が仕切り壁７３の高さを超える場合には、その超えた分が、図５（ａ）の実線矢印に示すように、溢水室７５に溢れ出し、排出管７６から外部に排出される。
【０１３０】
また、水受け皿３７周面壁の、仕切り壁７３の上端部よりやや低い位置には、水検知センサとしての水漏れセンサ４５が設けられている。
【０１３１】
水漏れセンサ４５は、水受け室７４に溜められた水の水位が、所定水位（たとえば、図５（ａ）における破線の高さ）以上であると検知するとＯＮし、それ以外の場合にはＯＦＦするセンサである。水漏れセンサ４５のＯＮ／ＯＦＦ信号は、制御部４９へ与えられ、制御信号によって、水漏れセンサ４５がＯＮし、所定の時間経過すると、ポンプ５およびオゾン発生装置２１が制御部４９によってＯＦＦにされる。なお、水漏れセンサ４５による検知の流れについては、図９を参照して、後に詳説する。
【０１３２】
図６を参照して、ドレン弁３６の第２の構成例について説明する。
【０１３３】
この第２の構成例のドレン弁３６は、弁室３８と、弁室３８内に収容されたディスク弁４６を有する。また、弁室３８内には、ディスク弁４６を受けるストッパー４７が備えられている。弁室３８は、上面に入口４０が形成され、ストッパー４７下方の下面に大きな出口４２が形成されている。
【０１３４】
ディスク弁４６は、たとえば、公知のゴムまたは樹脂などの円板形状の弁であり、入口４０の径より大きい径で形成されている。
【０１３５】
ストッパー４７は、ディスク弁４６を受け止めた場合に、ディスク弁４６の周囲と弁室３８の内壁との間に隙間４８が形成されるような高さに配置される。
【０１３６】
ディスク弁４６は、通常時には、図６（ａ）に示すように、その自重により、ストッパー４７によって受け止められる。そのため、入口４０側の排水管３５と出口４２側の排水管３５とが、ドレン弁３６の内部を介して連通する状態となり、漏れ出す水は、排水管３５を介して排水される。
【０１３７】
一方、吸引時には、図６（ｂ）に示すように、ディスク弁４６が負圧により吸引されて、入口４０が塞がれる。ドレン弁３６より上流側に位置する排水管３５が、ドレン弁３６を隔てて外部と遮断される。
【０１３８】
このように、吸引時、つまり入口１９へのオゾン供給中には、排水管３５がドレン弁３６を隔てて外部と遮断されており、外部の空気が排水管３５から３方分岐１８を経て、気体通路１６へ流入してくることがないため、供給されるオゾンの濃度が低くなることを防止でき、一定の濃度のオゾンを安定して供給することができる。その結果、効率的に水の浄化処理を行なうことができる。また、このような排水管３５の遮断を、絞り部１５で発生する負圧を利用して行なうことができるため、別に操作をする必要がなく自動的に、外部からの空気の流入を防止できる。
【０１３９】
なお、この実施形態においては、オゾン供給時における空気の流入をドレン弁３６によって阻止したが、ドレン弁３６の代わりに、たとえば、電磁バルブなどを設けて、制御部４９（後述）によって制御することもできる。この場合、水浄化装置１の運転中には、電磁バルブを閉じて空気が流入しないようにし、停止中には、電磁バルブを開けて出口２０から漏れ出す水を排水できるようにする。
【０１４０】
この水浄化装置１には、たとえば、ポンプ５やオゾン発生装置２１などを制御するためのオゾン供給制御手段および制御装置としての制御部４９が備えられており、制御部４９は、筐体２７の内部に収容され、外部の電源５０と接続されている（図２参照）。ここで、図７を参照して、制御部４９について説明する。
【０１４１】
図７は、この水浄化装置１の電気的構成を示すブロック図であって、この発明に関連する部分を示した図である。
【０１４２】
制御部４９は、たとえば、マイクロコンピュータなどで構成されており、ＣＰＵ５１と、ＲＯＭ５２と、ＲＡＭ５３と、タイマ５４とを備えている。また、制御部４９は、操作表示部５５、オゾン発生装置２１、ポンプ５、水漏れセンサ４５および圧力センサ１１と、それぞれ電気的に接続されている。
【０１４３】
操作表示部５５には、制御部４９のＯＮ／ＯＦＦを行なうための電源スイッチ５６、オゾン発生装置２１のＯＮ／ＯＦＦを行なうためのオゾンスイッチ５７ならびにユーザに対して各種表示を行なうための電源ＬＥＤ５８、オゾンＬＥＤ５９および異常ＬＥＤ６０などがそれぞれ設けられている。
【０１４４】
以上説明したこの水浄化装置１の構成中、オゾン混合器７と、オゾン供給装置８と、排水管３５と、ドレン弁３６とから構成される部分が、この発明に係る水オゾン混合装置２として機能し、水浄化装置１においては、ユーザが操作表示部５５を操作することにより、水オゾン混合装置２が制御部４９に制御されることによって、水にオゾンが混合されて水の浄化が行なわれる。
（水浄化装置１の制御）
図８は、水浄化装置１の浄化給水に関する制御部４９の制御動作を示すフローチャートである。以下、図８を参照して、水浄化装置１の浄化給水に関する制御について説明する。
【０１４５】
ユーザにより電源スイッチ５６がＯＮにされると（ステップＳ１のＹｅｓ）、オゾンスイッチ５７がＯＮにされたか否か判別される（ステップＳ２）。オゾンスイッチ５７がＯＮにされないと（ステップＳ２のＮｏ）、ポンプ５が単独制御される（ステップＳ９）。つまり、ポンプ５のみがＯＮにされ、水源３の水にはオゾンが供給されずに、そのままユーザの使用側へ供給される。一方、オゾンスイッチ５７がＯＮにされると（ステップＳ２のＹｅｓ）、ポンプ５とオゾン発生装置２１が連動制御される（ステップＳ３）。つまり、ユーザが蛇口などを開けることにより、流路内の水圧が降下し、圧力センサ１１がＯＮすると（ステップＳ４のＹｅｓ）、ポンプ５およびオゾン発生装置２１がともにＯＮにされ（ステップＳ５）、水源３の水がオゾンにより浄化されて供給される浄化給水が行なわれる。
【０１４６】
そして、浄化給水中、圧力センサ１１がＯＦＦすると（ステップＳ６のＹｅｓ）、圧力センサ１１がＯＦＦしてからＴ１秒、たとえば、１秒経過したか否か判別される（ステップＳ７）。Ｔ１秒経過すると（ステップＳ７のＹｅｓ）、ポンプ５およびオゾン発生装置２１がＯＦＦにされ（ステップＳ８）、浄化給水が終了する。また、ユーザは、電源スイッチ５６をＯＦＦにすることによっても浄化給水を終了することができる。なお、上記給水終了後、ユーザが再び浄水を使用したい場合には、蛇口を開けるだけでよい。つまり、ユーザが蛇口を開けると、圧力センサ１１が再びＯＮして（ステップＳ４のＹｅｓ）、それに連動してポンプ５およびオゾン発生装置２１が自動的にＯＮにされるため、ユーザは浄水を使用することができる。
【０１４７】
このように、ポンプ５とオゾン発生装置２１とを連動制御することにより、操作が簡単で、扱いやすい水浄化装置１を提供することができる。また、流路内の水圧が圧力センサ１１により制御されるため、ユーザ使用側へ放出される水圧が常に適正に維持され、しかも操作性の良い水浄化装置１とすることができる。
【０１４８】
図９は、水浄化装置１の水漏れ異常検知に関する制御部４９の制御動作を示すフローチャートである。以下、図９を参照して、水浄化装置１の水漏れ異常検知に関する制御について説明する。なお、ここでいう水漏れ異常検知とは、気体通路１６から漏れ出した水がオゾン発生装置２１へ浸入するおそれがあることを検知することである。
【０１４９】
図８で示したユーザへの浄化給水中に、水受け室７４に所定水位以上の水が溜められ、水漏れセンサ４５がＯＮすると（ステップＳ１１のＹｅｓ）、水漏れセンサ４５がＯＮしてからＴ２秒、たとえば、１秒経過しているか否か判別される（ステップＳ１２）。そして、Ｔ２秒経過すると（ステップＳ１２のＹｅｓ）、ポンプ５およびオゾン発生装置２１がＯＦＦにされ（ステップＳ１３）、異常ＬＥＤ６０が点灯され、オゾンＬＥＤ５９が点滅され（ステップＳ１４）、ユーザへの給水が停止される。
【０１５０】
なお、上記給水停止後、ユーザが再び浄水を使用したい場合には、再度電源スイッチ５６をＯＮにすることで水浄化装置１を再始動させることができる。このとき、水漏れセンサ４５は初期状態にリセットされる。つまり、水漏れセンサ４５がＯＮした状態で給水停止となった場合でも、再始動後は、ＯＦＦしている状態にリセットされる。なお、給水停止後も水受け室７４に所定水位以上の水が残っている場合には、再始動直後に再び上記処理および判断（ステップＳ１１〜１４）が行なわれ、給水が停止される。
【０１５１】
このように、水漏れセンサ４５の検知に応じて、ポンプ５およびオゾン発生装置２１を停止させることによって、漏電・感電などを未然に防止することができ、水浄化装置１を安全に稼動させることができる。
【０１５２】
また、これと同時にユーザに対しては、異常ＬＥＤ６０の点灯やオゾンＬＥＤ５９の点滅により異常報知されるため、ユーザは、水漏れ異常検知に対して迅速に対処することができる。また、水受け室７４の水位が所定水位（たとえば、図５（ａ）における破線の高さ）未満であれば、水漏れセンサ４５が水漏れ異常であると検知せず、さらに、水漏れセンサ４５がＯＮした場合でも、Ｔ２秒経過しなければ（ステップＳ１２のＮｏ）水漏れ異常検知は行なわれない。そのため、ユーザが不用な水漏れ異常に対して対処を強いられることを防止することができ、効率的に水の浄化処理を行なうことができる。
【０１５３】
以上のように、この水浄化装置１では、水路１４内の水が、入口１９から漏れ出した場合であっても、その水は、３方分岐１８において、入口１９からオゾン発生装置２１側に浸入せずに、排水口３４から排水管３５を通って排水される。このように、水がオゾン発生装置２１内に浸入することを防止することができるため、オゾン発生装置２１が水に晒されて放電できなくなることを防止でき、安定してオゾンを供給することができる。つまり、水質の改善効率（オゾンの混合効率）の低下を防止することができる。
【０１５４】
また、入口１９へのオゾン供給中、排水管３５がドレン弁３６を隔てて外部と遮断されており、外部の空気が排水管３５から３方分岐１８を経て、気体通路１６へ流入してくることがないため、供給されるオゾンの濃度が低くなることを防止でき、一定の濃度のオゾンを安定して供給することができる。その結果、効率的に水の浄化処理を行なうことができる。
【０１５５】
さらに、水漏れセンサ４５による水漏れ異常検知によってポンプ５およびオゾン発生装置２１が停止されるため、漏電・感電などを未然に防止することができ、水浄化装置１を安全に稼動させることができる。
＜変形例１＞
（水浄化装置１の構成）
図１０は、この発明の変形例１に係る水浄化装置１の概略斜視図である。図１１は、変形例１に係る水浄化装置１の構成例を示すシステム図である。なお、図１および図２と重複する部分については、同じ符号を付してその説明を省略する。また、図１１のシステム図において、実線矢印は水の流れ、破線矢印は電気の流れを、それぞれ表している。
【０１５６】
主として図１１を参照して、この変形例１に係る水浄化装置１には、図２で示したようなポンプ５および圧力センサ１１が備えられておらず、原水給水管６に、原水給水管６を開閉するための開閉弁としての開閉バルブ６１が備えられている。
【０１５７】
開閉バルブ６１は、たとえば、電気的に開閉される電磁バルブなどのバルブであり、制御部４９と電気的に接続されている。そのため、原水給水管６が、たとえば、水道の蛇口などに接続され、開閉バルブ６１が適宜開閉されることにより、ユーザは浄水を使用することができる。なお、ユーザに供給される浄水は、上記実施例１と同様の方法により生成される。
【０１５８】
図１２は、変形例１に係る水浄化装置１の操作表示部５５の概略平面図である。図１３は、変形例１に係る水浄化装置１の電気的構成を示すブロック図であって、変形例１に関連する部分を示した図である。なお、図７と重複する部分については、同じ符号を付してその説明を省略する。
【０１５９】
この変形例１に係る水浄化装置１の制御部４９は、たとえば、マイクロコンピュータなどで構成されている。また、制御部４９は、操作表示部５５、オゾン発生装置２１、開閉バルブ６１および水漏れセンサ４５と、それぞれ電気的に接続されている。
【０１６０】
操作表示部５５には、電源スイッチ５６、電源ＬＥＤ５８、オゾンＬＥＤ５９および異常ＬＥＤ６０の他に、給水される水にオゾンを混入させるか選択するためのコーススイッチ６２、開閉バルブ６１の開閉操作を行なうための給水スイッチ６３および給水中であるか否かを表示するための給水ＬＥＤ６４がそれぞれ設けられている。そのため、ユーザは、操作表示部５５を操作することにより、開閉バルブ６１を開閉させて給水したり、給水される水にオゾンを混入させて浄水を生成したりすることができる。
（水浄化装置１の制御）
図１４は、変形例１に係る水浄化装置１の浄化給水に関する制御部４９の制御動作を示すフローチャートである。以下、図１４を参照して、変形例１に係る水浄化装置１の浄化給水に関する制御について説明する。
【０１６１】
ユーザにより電源スイッチ５６がＯＮにされると（ステップＳ２１）、ＲＯＭ５２からコース設定が読み出される（ステップＳ２２）。ここでコース設定とは、たとえば、給水中の水に供給されるオゾンの量などが設定されているプログラム内容であり、ユーザはＲＯＭ５２の内容を適宜変更することにより、コース設定を変更することができる。そして、コーススイッチ６２がＯＮにされると（ステップＳ２３のＹｅｓ）、オゾン発生装置２１がＯＮにされる（ステップＳ２４）。
【０１６２】
そして、給水スイッチ６３がＯＮにされ（ステップＳ２５）、開閉バルブ６１が開かれることにより給水が開始されると（ステップＳ２６）、負圧によりオゾン混合器７にオゾンが供給される。このとき、コーススイッチ６２がＯＮにされずに（ステップＳ２３のＮｏ）、給水スイッチ６３がＯＮにされた場合でも給水は開始される。なお、このときは、オゾンが混合されていない水がユーザ使用側に送られる。また、ユーザは、コーススイッチ６２をＯＮにせずに給水を開始した場合でも、給水中にコーススイッチ６２をＯＮにすることによって、オゾン混合器７にオゾンを供給することができる。その後、電源スイッチ５６がＯＦＦにされると（ステップＳ２７）、浄化給水が終了する。
【０１６３】
このように、原水給水管６に開閉バルブ６１が設けられ、ユーザが適宜操作することによって浄水の給水を行なうことができる構成にすれば、たとえば、水源（たとえば、井戸、河川など）とユーザの使用場所が離れている場合でも、汲み出しポンプなどを水源の近くで駆動させておき、開閉バルブ６１をユーザの使用場所の近くに設けておけば、使用の都度汲み出しポンプなどを駆動する必要がなく、使用時に合わせて開閉バルブ６１を操作するだけで浄化された水を利用することができる。
【０１６４】
また、実施例１のように圧力センサ１１によるポンプ５の駆動といった構成でないため、ユーザ側に蛇口などの流路開閉部品などを設ける必要もない。つまり、原水給水管６および浄水給水管９の端部が通じる先の状況（たとえば、蛇口の有無など）がどのような場合であっても、この変形例１に係る水浄化装置１によって、浄水を使用することができる。
【０１６５】
なお、この変形例１に係る水浄化装置１の水漏れ異常検知の制御については、実施例１と同様であるため、ここでは説明を省略する。
＜変形例２＞
（水浄化装置１の構成）
図１５は、変形例２に係る水浄化装置１の構成例を示すシステム図である。なお、図１および図２と重複する部分については、同じ符号を付してその説明を省略する。
【０１６６】
この変形例２に係る水浄化装置１は、図２で示した水源３が、水を溜めるための貯水槽としてのタンク６５である。
【０１６７】
タンク６５は、家屋７７の屋根と略同じ高さに、たとえば、専用の鉄塔などを組み、その上に設置される。タンク６５には、水源（たとえば、井戸や河川など）から水を汲み出すためのタンク用ポンプ６６を含む貯水管６９が接続されており、タンク用ポンプ６６の駆動力により、タンク６５内に水が溜められる。
【０１６８】
また、タンク６５より低い位置、より具体的には、家屋７７の床７８にポンプ５が設置され、家屋７７の内壁７９に筐体２７が設置されており、ポンプ５と筐体２７（より具体的にはオゾン混合器７（図１参照））とは、原水給水管６により接続されている。
【０１６９】
ポンプ５には、タンク６５内部から下方に伸びる吸込管４が接続されており、筐体２７（より具体的にはオゾン混合器７（図１参照）には、浄水給水管９の一端が接続され、浄水給水管９の他端は、タンク６５の上方から、タンク６５内部につながっている。
【０１７０】
そのため、タンク６５内の水は、ポンプ５の駆動力により、タンク６５→吸込管４→ポンプ５→原水給水管６→筐体２７→浄水給水管９→タンク６５となる経路（循環用流路）を、筐体２７内で浄化されながら循環する。このように、タンク６５内の水が浄化循環されるため、タンク６５に浄水を溜めておくことができる。また、ポンプ５および筐体２７が、床７８および内壁７９という低い位置にそれぞれ設置されているため、ユーザは、水浄化装置１の運転操作やメンテナンスを容易に行なうことができる。
【０１７１】
また、タンク６５には、タンク６５の下方に伸び、途中で屈曲して家屋７７の内部に伸びるユーザ給水管６７の一端が接続され、ユーザ給水管６７の他端には蛇口６８が設けられている。そのため、ユーザが水を使用する際に、たとえば、汲み出しポンプなどの特別な装置を設ける必要がなく、ユーザは、蛇口６８が開けるという簡単な操作をするだけでタンク６５内の水を使用できる。
【０１７２】
さらに、この水浄化装置１を、太陽エネルギーで運転する場合など、昼間の日照時間内に浄化水を作り、夜間の利用などに備えられる。
【０１７３】
なお、この変形例２では、タンク６５を、専用の鉄塔などの上に設置したが、たとえば、家屋７７の屋根の上に設置することもできる。また、タンク６５に溜める水は、水源からタンク用ポンプ６６で汲み上げる水に限られず、たとえば、タンク６５に雨水を溜めることもできる。さらに、タンク６５を例として挙げたが、貯水管６９とユーザ給水管６７を省略し、タンク６５を、たとえば、プールや浴槽などに置換した構成にすれば、プールや浴槽などに溜められた水に含まれる雑菌などを浄化循環によって除去することができるため、定期的な水の入れ替えをせずに、清潔な水を溜めておくことができる。
＜変形例３＞
図１６は、変形例３に係るオゾン水生成装置７０の構成例を示すシステム図である。なお、図１および図２と重複する部分については、同じ符号を付してその説明を省略する。また、図１６のシステム図において、実線矢印は水の流れ、破線矢印は電気の流れを、それぞれ表している。
【０１７４】
この変形例３に係るオゾン水生成装置７０は、水道水などを溜めるためのタンク６５と、タンク６５に溜められた水を、吸込管４を通して吸い込むためのポンプ５と、ポンプ５から吐出され、原水給水管６を通して送られる水にオゾンを混合するための水オゾン混合装置２と、水オゾン混合装置２で生成されるオゾン水を放出するための浄水給水管９とを備えている。なお、この発明においては、浄水給水管９がオゾン水出力管に相当する。
【０１７５】
より具体的には、図２に示す水浄化装置１の水源３がタンク６５に置換され、オゾン脱臭カラム１０が省略されている。また、タンク６５には、たとえば、水道水などが溜められる。そのため、タンク６５に溜められた水道水は、水オゾン混合装置２においてオゾンが混合され、浄水給水管９から除菌・消臭機能に優れるオゾン水として放出される。
【０１７６】
また、図２に示す水浄化装置１においては、ポンプ５を筐体２７の外部に設置したが、このオゾン水生成装置７０では、タンク６５およびポンプ５を含む部品も、たとえば、タイヤ７１などが取り付けられた移動式筐体７２に収容され、浄水給水管９および吸気管２２の端部が移動式筐体７２から露出されている。そのため、ユーザは、オゾン水を使用したい場合に、浄水給水管９の端部に、たとえば、蛇口やシャワーノズルなどを取り付けることによって、オゾン水で手足を洗ったり、オゾン水を散水したりすることができる。
【０１７７】
さらに、上記のように移動式筐体７２を用いると、簡単に持ち運ぶことができる。たとえば、鮮魚運搬用トラックなどの荷台に乗せておき、鮮魚を積み下ろした後、その鮮魚が入っていたトロ箱に散水することによって、トロ箱の除菌・消臭・ぬめり取りなどをすることができる。なお、ユーザが使用するオゾン水は、上記実施例１と同様の方法により生成される。
＜変形例４＞
（オゾン混合器）
図１７は、変形例４に係るオゾン混合器７の側断面図である。なお、図１７において、実線矢印は水の流れ、破線矢印は気体の流れを、それぞれ表している。また、図３と重複する部分については、同じ符号を付してその説明を省略する。
【０１７８】
図１７に示すように、３方分岐１８の入口１９は、斜め上方を向いていることが望ましい。さらに、オゾン発生装置２１は、オゾン供給管２４（図２参照）と入口１９との接続部分よりも上方に配置されていることが望ましい。
【０１７９】
これにより、出口２０を介して気体通路１６の中に浸入してきた水路１４の水が入口１９に到達したとしても、その水が入口１９およびオゾン供給管２４（図２参照）を介してオゾン発生装置２１（図２参照）に到達する虞はない。そのため、オゾン発生装置２１の浸水を確実に防止し、さらに、気体通路１６に浸入してきた水路１４の水を、排水口３４を介して排水管３５（図５参照）で確実に排水することができる。
（逆止弁）
図１８は、変形例４に係るオゾン混合器７で用いられる逆止弁１７において、弁室２９内部を下方から見た図である。図１９は、弁室２９内に配置されるアーチ弁８１の上側斜視図である。図２０は、アーチ弁８１が配置された状態での弁室２９内部の上側斜視図である。図２１は、変形例４に係る逆止弁１７の図解図であり、図２１（ａ）は水路１４に水が流れていないとき（以下、通常時とする。）の状態を示し、図２１（ｂ）は水路１４に水が流れているとき（以下、吸引時とする。）の状態を示す。なお、図２１において、破線矢印は気体の流れを示す。
【０１８０】
変形例４に係る逆止弁１７において、弁室２９は、分割構造になっており、図１７に示すように、水路１４側から順に、上部品８２および下部品８３を有し、弁室２９内には、上述したボール弁３０およびばね３３（図４参照）の代わりに、弁体としてのアーチ弁８１が収容されている。
【０１８１】
上部品８２は、略中空円筒状に形成されており、その上端部が水路１４に接続されている。上部品８２の外周面には、ねじ部が形成されている。そして、上部品８２の中空部分は、上側に向かって先細となる略円錐状の領域（円錐領域８５とする。）と、円錐領域８５から下方へ連続する略円筒状の領域（円筒領域８６とする。）とで構成されている。
【０１８２】
また、詳しくは、円錐領域８５の上端部には、上方に延びる略円筒状の領域（小円筒領域８７とする。）と、小円筒領域８７の上端から上方に延びて水路１４の絞り部１５に接続され、図１８に示すように、底面視において矩形をなすスリット状の領域（スリット領域８８とする。）とが形成されている。なお、図１７に示すように、スリット領域８８と絞り部１５との接続部分が、上述した出口２０である。
【０１８３】
上部品８２の内周面には、図１８に示すように、４つの突起８９が、底面視において小円筒領域８７を囲んで十字をなすように、周上に等しい間隔を隔てて設けられている。
【０１８４】
各突起８９は、上下方向に長手の略平行四辺形の薄板状に形成されており（図１７参照）、上端部が、上部品８２の内周面の、円錐領域８５に相当する部分に接続されている。また、各突起８９の、上部品８２の内周面の径方向における外側端部は、上部品８２の内周面の、円筒領域８６に相当する部分に接続されている。各突起８９の下端縁は、上述した上部品８２の内周面の径方向に見て、内側から外側へ向かって、水平に延びてから途中で下方へ傾斜するように形成されている。以下では、各突起８９の下端縁の、水平に延びる部分を水平部分９０とし、傾斜する部分を傾斜部分９１とする。
【０１８５】
下部品８３は、図１７に示すように、上部品８２よりも大径の略中空円筒状の大径円筒部９２と、上述した逆止弁１７の入口３１（図４参照）を介して大径円筒部９２の下端部に接続されて下方に延びる細管９３とで一体的に形成されている。
【０１８６】
大径円筒部９２の内周面には、ねじ部が形成されている。大径円筒部９２の底壁（下側壁）には、径方向中心位置に入口３１が形成されており、そして、入口３１を囲む弁載置面９５が形成されている。弁載置面９５は、平面視において環状に、かつ、水平方向に平坦に形成されており、その外周縁に沿って上方へ突出する当接部９６が、弁載置面９５に対して一体的に形成されている。
【０１８７】
細管９３は、上述した排水管３５（図５参照）に接続されている。
【０１８８】
アーチ弁８１は、図１９に示すように、オゾン劣化に対して優れた耐久性を有するテフロン（登録商標）やシリコンのゴムからなる略ディスク状に形成されており、上面（被加圧面９９とする。）は、上方へ向かって凸湾曲するように形成され、下面（封止面１００とする。）は、水平方向に平坦に形成されている。被加圧面９９には、上方へ突出する、平面視において環状の弾性凸部１０１が一体的に設けられている。
【０１８９】
このような逆止弁１７を組立てる場合、先ず、図２０に示すように、下部品８３の載置面９５にアーチ弁８１を載置する。このとき、アーチ弁８１の封止面１００が弁載置面９５に一様に接触して入口３１を封止する。そして、下部品８３の内周面に形成されたねじ部を、上部品８２の外周面に形成されたねじ部にねじ込むことにより、下部品８３を上部品８２に組付ける。
【０１９０】
上部品８２に下部品８３が組付けられた状態において、下部品８３の当接部９６が上部品８２の内周面の下端部に嵌ることで、下部品８３が上部品８２に対して位置決めされている。また、当接部９６よりも径方向外側においては、下部品８３の底壁の上側面が、上部品８２の下端面に対して、パッキン１０２を挟んで隙間なく圧接されている。これにより、上部品８２の中空部分（円錐領域８５および円筒領域８６）と、下部品８３の弁載置面９５および当接部９６とによって、上述した弁室２９内部が、外部に対して空密的かつ液密的に形成される。
【０１９１】
そして、弁室２９内に収容されたアーチ弁８１は、図２１（ａ）に示すように、弾性凸部１０１が上部品８２の各突起８９の水平部分９０によって下方へ僅かに押圧される以外は弁室２９内において上下に移動可能な自由状態で配置されている。つまり、アーチ弁８１は、弁室２９（つまり気体通路１６）内において他の部材に支持されていない。逆止弁１７の用途上、アーチ弁８１は、その作動頻度が比較的高いので、弁室２９内において他の部材に支持されている場合には、その支持部分に損傷が生じる虞があるが、本発明のアーチ弁８１は、弁室２９内において他の部材に支持されていないので、上述した支持部分が存在せず、損傷が生じる虞はない。
【０１９２】
また、アーチ弁８１の弾性凸部１０１は、各突起８９の傾斜部分９１によって水平方向に間隔を隔てて囲まれているので、各突起８９によってアーチ弁８１の水平方向の位置がずれるのが防止されている。そのため、アーチ弁８１を、弁室２９内において、封止面１００が入口３１を封止可能な（つまり、後述する気体通路１６を開閉可能な）適正位置に常に配置することができ、逆止弁１７の作動信頼性の向上を図ることができる。
【０１９３】
アーチ弁８１が弁室２９内に配置されている状態において、弾性凸部１０１は、通常時（図２１（ａ）参照）には、上述したように、各突起８９の水平部分９０によって押圧されることによって弾性変形し、アーチ弁８１自体、詳しくは封止面１００を入口３１に向けて付勢している。また、封止面１００の入口３１への付勢には、アーチ弁８１の自重も作用される。これにより、封止面１００によって入口３１が封止され、気体通路１６が遮断（閉鎖）される。そのため、仮に、水路１４（図１７参照）からの水が弁室２９内に浸入してきても、その水は、弁室２９内において塞き止められる。
【０１９４】
詳しくは、上述したように、このアーチ弁８１は、上方に凸湾曲した被加圧面９９を有している。このオゾン混合器７では、その構造上、水路１４（図１７参照）に合流される出口２０から、水路１４の水が気体通路１６内に下方へ漏れ出す虞があり、この水が被加圧面９９を加圧することが想定されるが、被加圧面９９は上方に凸湾曲しているので、この被加圧面９９では、水路１４からの水の圧力を周囲に逃すことができる。たとえば、この被加圧面９９が外縁（径方向外側）から内側中心に亘って一様に平坦な場合、水路１４からの水の圧力を周囲に逃すことができない。そのため、被加圧面９９の内側部分が圧力に耐えられなくなるとアーチ弁８１全体が撓んでアーチ弁８１が気体通路１６を完全に閉鎖できなくなり（つまり、封止面１００と弁室２９の入口３１との間に隙間が生じる。）、水の逆流が生じる虞がある。しかし、本発明のアーチ弁８１の被加圧面９９は、上述したように、水の漏れ出す方向とは反対の方向（上方）に向かって凸湾曲しているので、たとえば、ウォーターハンマー現象によって急激に上昇した水の圧力が被加圧面９９に作用されても、その圧力が周囲に逃されることにより、アーチ弁８１は、撓むことはなく、その全体形状を維持することができる。そのため、アーチ弁８１は、気体通路１６を完全に閉鎖し（つまり、封止面１００が入口３１を隙間なく封止する。）、水の逆流を確実に阻止することができる。なお、被加圧面９９は、被加圧面９９を加圧する水の圧力を周囲へ逃すように形成されているのであれば、上述したように凸湾曲していなくてもよい。
【０１９５】
そして、上述したように、被加圧面９９の弾性凸部１０１は、各突起８９に押圧されることによって弾性変形して、アーチ弁８１を、気体通路１６を閉鎖するように付勢する。たとえば、上述したウォーターハンマー現象とは反対に極めて低い圧力の水の場合において、この水が、気体通路１６を閉鎖しているアーチ弁８１とその気体通路１６との間（詳しくは、封止面１００と入口３１との間）の微小な隙間を伝って逆流する虞がある。しかし、弾性凸部１０１が、各突起８９に押圧されることによって、アーチ弁８１を、気体通路１６を閉鎖するように付勢する（つまり、封止面１００を入口３１へ向けて付勢する。）ので、上述した微小な隙間は解消され、水の逆流を確実に阻止することができる。
【０１９６】
そのため、この弾性凸部１０１と、上方に凸湾曲した被加圧面９９とによって、水の圧力の大小を問わず、その水の逆流を確実に阻止することができる。
【０１９７】
また、弾性凸部１０１は、各突起８９によって局部的に（つまり、各突起８９に対応する周上４箇所の位置で）押圧されることにより、押圧力が局部的に集中して作用されるので、小さな押圧力でも容易に弾性変形して、封止面１００を入口３１へ向けて付勢し、封止面１００と入口３１との間の隙間を確実に解消することができる。
【０１９８】
一方、吸引時には、図２１（ｂ）に示すように、アーチ弁８１が負圧により吸引される。これにより、アーチ弁８１は、各突起８９に押圧された弾性凸部１０１の付勢力に抗して、上方へ浮上し、封止面１００によって封止されていた入口３１が弁室２９内部と連通し、気体通路１６が完成する（開放される）。そのため、図４（ｂ）での逆止弁１７と同様に、オゾン発生装置２１→オゾン供給管２４→３方分岐１８の入口１９→気体通路１６とつながる経路が連通する状態となり、オゾンは、気体通路１６に供給される。
【０１９９】
このように、変形例４に係る逆止弁１７では、アーチ弁８１が、オゾン供給時（図２１（ｂ）参照）には、オゾンの供給圧力（上述した負圧）によって気体通路１６を開放することによって、図１７に示すように、３方分岐１８の入口１９から気体通路１６へ供給されたオゾンが出口２０へ向かって上方へ通過することを許容できる。一方、オゾン非供給時（図２１（ａ）参照）には、アーチ弁８１が、その自重および弾性凸部１０１の付勢力によって気体通路１６を閉鎖することによって、水の逆方向（図２１（ａ）における下方向）への通過（逆流）を阻止することができる。つまり、このような簡単な構成の逆止弁１７により、外部から別段の操作をしなくても、自動的に気体通路１６を開閉して、水の逆流を阻止できる。
（ドレン弁）
図２２は、図１７におけるドレン弁３６を抜き出して示したものであって、図２２（ａ）は通常時の状態を示し、図２２（ｂ）は吸引時の状態を示し、図２２（ｃ）は排水時の状態を示す。なお、図２２において、入口１９の向きは、図１７で示した向きとは反対の向きで示されている。図２３は、弁室３８内部におけるストッパー４７の上側斜視図である。
【０２００】
変形例４に係るドレン弁３６において、図２２に示すように、収容室としての弁室３８内部は、上側部分が上方に凸湾曲した円筒状に形成されている。また、弁室３８の底壁の中央位置には、上述した出口４２が円形状に形成されている。そして、弁室３８内に設けられる受け止め部材としてのストッパー４７は、側断面視において、弁室３８の内部形状と相似し、上方に凸湾曲するように形成されている。詳しくは、ストッパー４７は、図２３に示すように、弁室３８の底壁上において出口４２を囲むように放射状に設けられた６組のリブ１０５の対によって構成されている。各リブ１０５は、その上面が、出口４２の径方向外側へ向かって緩やかに下降するように形成されており（図２２参照）、以下では、全てのリブ１０５の上面をまとめて受入面１０３とする。すなわち、受入面１０３が、上述したストッパー４７の凸湾曲した部分を形成している。また、１対のリブ１０５の間には、排水溝１０４が形成されている。
【０２０１】
図２２に示すように、遮断部材としてのディスク弁４６は、可撓性を有する素材で構成されており、通常時には、図２２（ａ）に示すように、弁室３８内において、受入面１０３上に載置されるようにストッパー４７に受け止められている。この状態で、ディスク弁４６の周縁は、弁室３８の内壁に接触または、たとえば１ｍｍ未満、好ましくは約０．３ｍｍの隙間を隔てて近接している。
【０２０２】
そして、吸引時には、図２２（ｂ）に示すように、ディスク弁４６が負圧により吸引され、入口４０が塞がれることにより、実施例１と同様に、排水管３５が遮断される（図６（ｂ）参照）。このとき、ディスク弁４６は、弁室３８の内部形状の、上述した上面形状に沿うように撓んでいる。ここで、排水管３５の内周面の、入口４０に近接する位置には、３つの脱離防止リブ１０６が、排水管３５の中心に向かって突出するように、同一円周上に等間隔で設けられており、これらの脱離防止リブ１０６によって、吸引時において、ディスク弁４６が排水管３５内まで吸引されることが防止されている。
【０２０３】
以上のように、このドレン弁３６では、図２２（ａ）に示す通常時においては、ディスク弁４６が弁室３８の内壁に接触または近接しているので、弁室３８内において入口４０と出口４２とを連通させる隙間（図６の隙間４８に相当）は、ほとんど存在しない。しかし、ディスク弁４６が載置される受入面１０３は、上方に凸湾曲しているので、その周縁側（各リブ１０５の上面の、出口４２から離れた部分）は、中心側（各リブ１０５の上面の、出口４２側の部分）に比べて、下側に位置しており、この周縁側部分において受入面１０３と弁室３８の内壁との間に隙間を確保することできる。そのため、図２２（ｃ）に示す排水時においては、入口４０から弁室３８内に流入した水がディスク弁４６を押圧することにより、ディスク弁４６の周縁部分が、上述した隙間において撓む。これにより、弁室３８の内壁とディスク弁４６との接触が解消されて、弁室３８の内壁とディスク弁４６との間に、上述した隙間４８が形成される。これにより、入口４０と出口４２とが連通して排水管３５が開放されるので、弁室３８内部に流入した水は、各排水溝１０４を通過して出口４２に到達し、排水管３５を介して排水される。
【０２０４】
すなわち、変形例４に係るドレン弁３６によれば、ディスク弁４６は、通常時（排水時以外、かつ、吸引時以外）において、弁室３８の内壁に接触または近接しているので、吸引時における排水管３５内の圧力変化（上述した負圧）が小さくても、確実に動作し、入口４０を塞いで排水管３５を遮断することができ、外部からの空気の流入を確実に防止できる。
【０２０５】
また、ディスク弁４６は、可撓性を有しており、排水時においては、流れ出る水に押圧されて撓むことにより、弁室３８の内壁とディスク弁４６との間に、上述した隙間４８が形成されることによって排水管３５が開放されるので、排水管３５での円滑な排水を確保することができる。
【０２０６】
そして、上方、つまり排水時に水が流れ出る方向（流出方向）とは逆方向に凸湾曲した受入面１０３において、受入面１０３の周縁側は、その中心側に比べて、水の流出方向下流側（下側）に位置しているので、この周縁側部分において受入面１０３と弁室３８の内壁との間に隙間を確保することできる。そのため、排水時には、この隙間において、弁室３８の内壁とディスク弁４６との接触が解消されるまでディスク弁４６を撓ませて、排水管３５を確実に開放することができる。
【０２０７】
この発明は、以上説明した実施形態に限定されるものではなく、請求項記載の範囲内において種々の変更が可能である。たとえば、この発明に係る水オゾン混合装置２、水浄化装置１またはオゾン水生成装置７０の構成を、風呂水を利用して洗濯を行なう洗濯機などおける、風呂水の浄化処理などに用いることができる。
【０２０８】
また、本実施例では、オゾンを水に混合する構成のオゾン混合器７を例示したが、これに限らず、このオゾン混合器７を汎用的な気液混合器として用いることができる。そして、変形例４で示したアーチ弁８１を用いた逆止弁１７は、この発明に係るオゾン混合器７、水オゾン混合装置２、水浄化装置１およびオゾン水生成装置７０に限らず、流体の逆流を阻止する必要がある全ての機構に適用することができる。
【図面の簡単な説明】
【０２０９】
【図１】この発明の一実施形態に係る水浄化装置１の概略斜視図である。
【図２】水浄化装置１の構成例を示すシステム図である。
【図３】オゾン混合器７の図解図である。
【図４】逆止弁１７の図解図であり、図４（ａ）は通常時の状態を示し、図４（ｂ）は吸引時の状態を示す。
【図５】ドレン弁３６の一例を示す図解図であり、図５（ａ）は通常時の状態を示し、図５（ｂ）は吸引時の状態を示す。
【図６】ドレン弁３６の一例を示す図解図であり、図６（ａ）は通常時の状態を示し、図６（ｂ）は吸引時の状態を示す。
【図７】この水浄化装置１の電気的構成を示すブロック図であって、この発明に関連する部分を示した図である。
【図８】水浄化装置１の浄化給水に関する制御部４９の制御動作を示すフローチャートである。
【図９】水浄化装置１の水漏れ異常検知に関する制御部４９の制御動作を示すフローチャートである。
【図１０】この発明の変形例１に係る水浄化装置１の概略斜視図である。
【図１１】変形例１に係る水浄化装置１の構成例を示すシステム図である。
【図１２】変形例１に係る水浄化装置１の操作表示部５５の概略平面図である。
【図１３】変形例１に係る水浄化装置１の電気的構成を示すブロック図であって、変形例１に関連する部分を示した図である。
【図１４】変形例１に係る水浄化装置１の浄化給水に関する制御部４９の制御動作を示すフローチャートである。
【図１５】変形例２に係る水浄化装置１の構成例を示すシステム図である。
【図１６】変形例３に係るオゾン水生成装置７０の構成例を示すシステム図である。
【図１７】変形例４に係るオゾン混合器７の側断面図である。
【図１８】変形例４に係るオゾン混合器７で用いられる逆止弁１７において、弁室２９内部を下方から見た図である。
【図１９】アーチ弁８１の上側斜視図である。
【図２０】アーチ弁８１が配置された状態での弁室２９内部の上側斜視図である。
【図２１】変形例４に係る逆止弁１７の図解図であり、図２１（ａ）は通常時の状態を示し、図２１（ｂ）は吸引時の状態を示す。
【図２２】図１７におけるドレン弁３６を抜き出して示したものであって、図２２（ａ）は通常時の状態を示し、図２２（ｂ）は吸引時の状態を示し、図２２（ｃ）は排水時の状態を示す。
【図２３】弁室３８内部におけるストッパー４７の上側斜視図である。
【符号の説明】
【０２１０】
１      水浄化装置
２      水オゾン混合装置
４      吸込管
５      ポンプ
６      原水給水管
７      オゾン混合器
８      オゾン供給装置
９      浄水給水管
１０    オゾン脱臭カラム
１２    流入口
１３    流出口
１４    水路
１５    絞り部
１６    気体通路
１７    逆止弁
１８    ３方分岐
１９    入口
２０    出口
２１    オゾン発生装置
２４    オゾン供給管
２７    筐体
２９    弁室
３１    入口
３４    排水口
３５    排水管
３６    ドレン弁
３７    水受け皿
３８    弁室
４０    入口
４２    出口
４５    水漏れセンサ
４６    ディスク弁
４７    ストッパー
４８    隙間
４９    制御部
６１    開閉バルブ
６５    タンク
６９    貯水管
８１    アーチ弁
８９    突起
９９    被加圧面
１００  封止面
１０１  弾性凸部
１０３  受入面
【図１】
2008012512.tif 000003
【図２】
2008012512.tif 000004
【図３】
2008012512.tif 000005
【図４】
2008012512.tif 000006
【図５】
2008012512.tif 000007
【図６】
2008012512.tif 000008
【図７】
2008012512.tif 000009
【図８】
2008012512.tif 000010
【図９】
2008012512.tif 000011
【図１０】
2008012512.tif 000012
【図１１】
2008012512.tif 000013
【図１２】
2008012512.tif 000014
【図１３】
2008012512.tif 000015
【図１４】
2008012512.tif 000016
【図１５】
2008012512.tif 000017
【図１６】
2008012512.tif 000018
【図１７】
2008012512.tif 000019
【図１８】
2008012512.tif 000020
【図１９】
2008012512.tif 000021
【図２０】
2008012512.tif 000022
【図２１】
2008012512.tif 000023
【図２２】
2008012512.tif 000024
【図２３】
2008012512.tif 000025